(57)【特許請求の範囲】
【請求項１】
ワイヤレスネットワークにおける通信の方法であって、前記方法は、
アクセスポイントから、第１のフォーマットまたは前記第１のフォーマットとは異なる第２のフォーマットに従って、第１のメッセージの第１の部分を送信することと、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記アクセスポイントから、前記第２のフォーマットに従って、前記第１のメッセージの第２の部分を送信することと、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
ここにおいて、前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
を備える、方法。
【請求項２】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項１に記載の方法。
【請求項３】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項１に記載の方法。
【請求項４】
前記チャネルフィードバック情報を決定するために使用可能であるヌルデータパケットを送信すること、
をさらに備える、請求項１に記載の方法。
【請求項５】
前記アクセスポイントにおいて、前記ヌルデータパケットを送信した後に、ショートフレーム間スペース（ＳＩＦＳ）内で前記チャネルフィードバック情報を受信することをさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項４に記載の方法。
【請求項６】
トリガフレームの一部として、１つまたは複数のワイヤレス通信デバイスの各々についてのトーンまたはサブバンド割振り情報を送信すること、
をさらに備える、請求項４に記載の方法。
【請求項７】
前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、請求項６に記載の方法。
【請求項８】
前記第１のフォーマットに適合するワイヤレス通信デバイスの前記第１のセットのためのチャネルフィードバック推定のための第１のパラメータは、前記第２のフォーマットに適合するワイヤレス通信デバイスの前記第２のセットのためのチャネルフィードバック推定のための第２のパラメータの後に送信される、請求項１に記載の方法。
【請求項９】
ワイヤレスネットワークにおける通信のための装置であって、前記装置は、
第１のフォーマットまたは前記第１のフォーマットとは異なる第２のフォーマットに従って、第１のメッセージの第１の部分を生成することと、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記第２のフォーマットに従って、前記第１のメッセージの第２の部分を生成することと、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
を行うように構成されたプロセッサと、
前記第１のメッセージを送信するように構成された送信機と、
を備え、
前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
装置。
【請求項１０】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項９に記載の装置。
【請求項１１】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項９に記載の装置。
【請求項１２】
前記送信機は、前記チャネルフィードバック情報を決定するために使用可能であるヌルデータパケットを送信するようにさらに構成された、請求項９に記載の装置。
【請求項１３】
前記ヌルデータパケットを送信した後に、ショートフレーム間スペース（ＳＩＦＳ）内で前記チャネルフィードバック情報を受信するように構成された受信機をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項１２に記載の装置。
【請求項１４】
前記送信機は、トリガフレームの一部として、１つまたは複数のワイヤレス通信デバイスの各々についてのトーンまたはサブバンド割振り情報を送信するようにさらに構成された、請求項１２に記載の装置。
【請求項１５】
前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、請求項１４に記載の装置。
【請求項１６】
前記第１のフォーマットに適合するワイヤレス通信デバイスの前記第１のセットのためのチャネル状態情報推定のための第１のパラメータは、前記第２のフォーマットに適合するワイヤレス通信デバイスの前記第２のセットのためのチャネル状態情報推定のための第２のパラメータの後に送信される、請求項９に記載の装置。
【請求項１７】
ワイヤレスネットワークにおける通信のための装置であって、前記装置は、
第１のフォーマットまたは前記第１のフォーマットとは異なる第２のフォーマットに従って、第１のメッセージの第１の部分を生成するための手段と、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記第２のフォーマットに従って、前記第１のメッセージの第２の部分を生成するための手段と、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
前記第１のメッセージを送信するための手段と、
を備え、
前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
装置。
【請求項１８】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項１７に記載の装置。
【請求項１９】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項１７に記載の装置。
【請求項２０】
前記チャネルフィードバック情報を決定するために使用可能であるヌルデータパケットを送信するための手段、
をさらに備える、請求項１７に記載の装置。
【請求項２１】
前記ヌルデータパケットを送信した後に、ショートフレーム間スペース（ＳＩＦＳ）内で前記チャネルフィードバック情報を受信するための手段をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項２０に記載の装置。
【請求項２２】
命令を記憶したコンピュータ可読記憶媒体であって、前記命令は、
実行されたとき、装置のプロセッサに、
第１のフォーマットまたは前記第１のフォーマットとは異なる第２のフォーマットに従って、第１のメッセージの第１の部分を生成することと、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記第２のフォーマットに従って、前記第１のメッセージの第２の部分を生成することと、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
前記第１のメッセージを送信することと、
を行わせ、
前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
コンピュータ可読記憶媒体。
【請求項２３】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項２２に記載のコンピュータ可読記憶媒体。
【請求項２４】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項２２に記載のコンピュータ可読記憶媒体。
【請求項２５】
前記命令が、実行されたとき、前記装置の前記プロセッサに、
前記チャネルフィードバック情報を決定するために使用可能であるヌルデータパケットを送信すること、
をさらに行わせる、請求項２２に記載のコンピュータ可読記憶媒体。
【請求項２６】
前記命令が、実行されたとき、前記装置の前記プロセッサに、
前記ヌルデータパケットを送信した後に、ショートフレーム間スペース（ＳＩＦＳ）内で前記チャネルフィードバック情報を受信することをさらに行わせ、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項２５に記載のコンピュータ可読記憶媒体。
【発明の詳細な説明】
【技術分野】
【０００１】
本開示のいくつかの態様は、一般にワイヤレス通信に関し、より詳細には、チャネル状態情報サウンディング（sounding）およびフィードバックのための方法および装置に関する。
【背景技術】
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【０００４】
[0004]ワイヤレス通信システムのために要求される増加する帯域幅要件という問題に対処するために、複数のユーザ端末が、高いデータスループットを達成しながら、チャネルリソースを共有することによって単一のアクセスポイントと通信することを可能にするために、異なる方式が開発されている。限られた通信リソースの場合、アクセスポイントと複数の端末との間を通るトラフィックの量を低減することが望ましい。たとえば、複数の端末がチャネル状態情報フィードバックをアクセスポイントに送るとき、チャネル状態情報のアップリンクを完了するために、トラフィックの量を最小限に抑えることが望ましい。したがって、複数の端末からのチャネル状態情報のアップリンクのための改善されたプロトコルが必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明される望ましい属性を担当するとは限らない。添付の特許請求の範囲を限定することなしに、いくつかの顕著な特徴が本明細書で説明される。
【０００６】
[0006]本明細書で説明される主題の１つまたは複数の実装形態の詳細は、添付の図面および以下の説明に記載されている。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、ワイヤレス通信の方法を提供する。本方法は、第１のフォーマットまたは第２のフォーマットに従って第１のメッセージの第１の部分を送信することを備える。第１のメッセージの第１の部分は、第１のフォーマットに適合するワイヤレス通信デバイスの第１のセット、または第２のフォーマットに適合するワイヤレス通信デバイスの第２のセットを対象とする第１の情報を含み得、第１のメッセージはチャネル状態情報を要求し得る。本方法は、第２のフォーマットに従って第１のメッセージの第２の部分を送信することをさらに備える。第１のメッセージの第２の部分は、第２のフォーマットに適合するワイヤレス通信デバイスの第２のセットを対象とする第２の情報を含み得る。メッセージの第２の部分は、チャネルフィードバック情報がそれについて要求されるトーンまたは空間ストリームの数のインジケーションを備え得る。
【０００８】
[0008]本開示の別の態様は、ワイヤレス通信のための装置を提供する。該装置は、第１のフォーマットまたは第２のフォーマットに従って第１のメッセージの第１の部分を生成するように構成されたプロセッサを備える。第１のメッセージの第１の部分は、第１のフォーマットに適合するワイヤレス通信デバイスの第１のセット、または第２のフォーマットに適合するワイヤレス通信デバイスの第２のセットを対象とする第１の情報を含み得、第１のメッセージはチャネル状態情報を要求し得る。該装置のプロセッサは、第２のフォーマットに従って第１のメッセージの第２の部分を生成するようにさらに構成され得、第１のメッセージの第２の部分は、第２のフォーマットに適合するワイヤレス通信デバイスの第２のセットを対象とする第２の情報を含み、第１のメッセージの第２の部分は、チャネルフィードバック情報が要求されるトーンまたは空間ストリームの数のインジケーションを備える。該装置は、第１のメッセージを送信するように構成された送信機をさらに備え得る。
【０００９】
[0009]本開示の別の態様は、ワイヤレス通信のための装置を提供する。該装置は、第１のフォーマットまたは第２のフォーマットに従って第１のメッセージの第１の部分を生成するための手段を備える。第１のメッセージの第１の部分は、第１のフォーマットに適合するワイヤレス通信デバイスの第１のセット、または第２のフォーマットに適合するワイヤレス通信デバイスの第２のセットを対象とする第１の情報を含み得、第１のメッセージはチャネル状態情報を要求し得る。該装置は、第２のフォーマットに従って第１のメッセージの第２の部分を生成するための手段をさらに備え得、第１のメッセージの第２の部分は、第２のフォーマットに適合するワイヤレス通信デバイスの第２のセットを対象とする第２の情報を含み、第１のメッセージの第２の部分は、チャネルフィードバック情報が要求されるトーンまたは空間ストリームの数のインジケーションを備える。該装置は、第１のメッセージを送信するための手段をさらに備え得る。
【００１０】
[0010]本開示の別の態様は、非一時的コンピュータ可読媒体を提供する。該媒体は、実行されたとき、装置のプロセッサにワイヤレス通信の方法を実行させる、その上に記憶された命令を備える。ワイヤレス通信の方法は、第１のフォーマットまたは第２のフォーマットに従って第１のメッセージの第１の部分を送信することを備える。第１のメッセージの第１の部分は、第１のフォーマットに適合するワイヤレス通信デバイスの第１のセット、または第２のフォーマットに適合するワイヤレス通信デバイスの第２のセットを対象とする第１の情報を含み得、第１のメッセージはチャネル状態情報を要求し得る。該方法は、第２のフォーマットに従って第１のメッセージの第２の部分を送信することをさらに備える。第１のメッセージの第２の部分は、第２のフォーマットに適合するワイヤレス通信デバイスの第２のセットを対象とする第２の情報を含み得る。メッセージの第２の部分は、チャネルフィードバック情報が要求されるトーンまたは空間ストリームの数のインジケーションを備え得る。
【図面の簡単な説明】
【００１１】
【図１】アクセスポイントとワイヤレス通信デバイスとをもつ多元接続多入力多出力（ＭＩＭＯ）システムを示す図。
【図２】図１のＭＩＭＯシステムにおけるアクセスポイントと２つのワイヤレス通信デバイスとのブロック図。
【図３】ワイヤレス通信システム内で採用され得るワイヤレス通信デバイスにおいて利用され得る様々な構成要素を示す図。
【図４Ａ】チャネル状態情報（ＣＳＩ：channel state information）フィードバックの例示的なフレーム交換の時間図。
【図４Ｂ】ＣＳＩフィードバックの別の例示的なフレーム交換の時間図。
【図４Ｃ】ＣＳＩフィードバックの別の例示的なフレーム交換の時間図。
【図４Ｄ】ＣＳＩフィードバックの別の例示的なフレーム交換の時間図。
【図５Ａ】ＣＳＩフィードバックの別の例示的なフレーム交換の時間図。
【図５Ｂ】ＣＳＩフィードバックの別の例示的なフレーム交換の時間図。
【図６】ＣＳＩフィードバックの別の例示的なフレーム交換の時間図。
【図７Ａ】ヌルデータパケット告知（ＮＤＰＡ：null data packet announcement）フレームの一実施形態の図。
【図７Ｂ】ＮＤＰＡフレームの別の実施形態の図。
【図８】クリアツートランスミット（ＣＴＸ：clear to transmit）フレームの一実施形態の図。
【図９】ヌルデータパケット（ＮＤＰ：null data packet）フレームの一実施形態の図。
【図１０】ワイヤレス通信の例示的な方法の一態様のフローチャート。
【図１１Ａ】一実施形態による、例示的なチャネルサウンディングシーケンス（channel sounding sequence）を示す図。
【図１１Ｂ】一実施形態による、例示的なチャネルサウンディングシーケンスを示す図。
【図１２Ａ】一実施形態による、例示的なチャネルサウンディングシーケンスを示す図。
【図１２Ｂ】一実施形態による、例示的なチャネルサウンディングシーケンスを示す図。
【図１３】一実施形態による、ＨＥ  ＮＤＰＡフレームフォーマットの一例の図。
【図１４】一実施形態による、例示的なトリガフレームフォーマットの図。
【図１５】本明細書で説明されるいくつかの実施形態による、ワイヤレス通信のための例示的な方法のフローチャート。
【発明を実施するための形態】
【００１２】
[0033]添付の図面を参照しながら、新規のシステム、装置、および方法の様々な態様が以下でより十分に説明される。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるどの態様も請求項の１つまたは複数の要素によって実施され得ることを理解されたい。
【００１３】
[0034]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１４】
[0035]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明される様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００１５】
[0036]いくつかの態様では、ワイヤレス信号は、直交周波数分割多重（ＯＦＤＭ）、直接シーケンススペクトル拡散（ＤＳＳＳ：direct - sequence spread spectrum）通信、多元接続多入力多出力（ＭＩＭＯ）、それらの何らかの組合せ、または他の方式を使用して、高効率８０２．１１プロトコルに従って送信され得る。高効率８０２．１１プロトコルの実装形態は、インターネットアクセス、センサー、計測、スマートグリッドネットワーク、または他のワイヤレス適用例のために使用され得る。有利には、この特定のワイヤレスプロトコルを実装するいくつかのデバイスの態様は、他のワイヤレスプロトコルを実装するデバイスよりも少ない電力を消費し得、短い距離にわたってワイヤレス信号を送信するために使用され得、および／または人間などの物体によって阻止される可能性が低い信号を送信することが可能であり得る。
【００１６】
[0037]いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）と、（局（ＳＴＡ）とも呼ばれる）クライアントとがあり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１７】
[0038]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータをコンカレントに送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装し得る。
【００１８】
[0039]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードは、アクセスポイントまたはアクセス端末を備え得る。
【００１９】
[0040]ＡＰは、ノードＢ、無線ネットワークコントローラ（ＲＮＣ）、ｅノードＢ、基地局コントローラ（ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、または何らかの他の用語を備えるか、それらのいずれかとして実装されるか、あるいはそれらのいずれかとして知られていることがある。
【００２０】
[0041]また、局（ＳＴＡ）は、ユーザ端末、アクセス端末（ＡＴ）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２１】
[0042]図１は、アクセスポイントとユーザ端末とをもつ多元接続多入力多出力（ＭＩＭＯ）システム１００を示す図である。簡単のために、ただ１つのアクセスポイント１１０が図１に示されている。アクセスポイントは、概して、ユーザ端末と通信する固定局であり、ユーザ端末またはＳＴＡは、固定または移動であり得、本明細書では簡単にワイヤレス通信デバイスと呼ばれることがある。アクセスポイント１１０は、ダウンリンク（ＤＬ）およびアップリンク（ＵＬ）上で所与の瞬間において（ＵＴ１２０ａ〜ｉとして示される）１つまたは複数のワイヤレス通信デバイス１２０と通信し得る。ダウンリンク（すなわち、順方向リンク）はアクセスポイント１１０からワイヤレス通信デバイス１２０への通信リンクであり、アップリンク（すなわち、逆方向リンク）はワイヤレス通信デバイス１２０からアクセスポイント１１０への通信リンクである。ワイヤレス通信デバイス１２０はまた、別のワイヤレス通信デバイス１２０とピアツーピアで通信し得る。システムコントローラ１３０は、アクセスポイント１１０に結合し、アクセスポイントのための協調および制御を行う。
【００２２】
[0043]以下の開示の部分は、空間分割多元接続（ＳＤＭＡ）を介して通信することが可能なワイヤレス通信デバイス１２０について説明するが、いくつかの態様では、ワイヤレス通信デバイス１２０は、ＳＤＭＡをサポートしないいくつかのワイヤレス通信デバイス１２０をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡワイヤレス通信デバイスが適切と見なされるときに導入されることを可能にしながら、ＳＤＭＡをサポートしないより古いバージョンのワイヤレス通信デバイス１２０（「レガシー」局）が企業において展開されたままであることを可能にし、それらの有効寿命を延長し得る。
【００２３】
[0044]システム１００は、ダウンリンクおよびアップリンク上でのデータ送信のために複数の送信アンテナと複数の受信アンテナとを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたワイヤレス通信デバイス１２０のセットは、ダウンリンク送信では多出力をまとめて表し、アップリンク送信では多入力をまとめて表す。純粋なＳＤＭＡの場合、Ｋ個のワイヤレス通信デバイスのためのデータシンボルストリームが、何らかの手段によって、コード、周波数または時間において多重化されない場合、Ｎap≦Ｋ≦１が成り立つことが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたワイヤレス通信デバイスは、アクセスポイントにユーザ固有データを送信し、および／またはアクセスポイントからユーザ固有データを受信し得る。概して、各選択されたワイヤレス通信デバイスは、１つまたは複数のアンテナを装備し得る（すなわち、Ｎut≧１）。Ｋ個の選択されたワイヤレス通信デバイスは同じ数のアンテナを有することができるか、または、１つまたは複数のワイヤレス通信デバイスは異なる数のアンテナを有し得る。
【００２４】
[0045]システム１００は、時分割複信（ＴＤＤ）または周波数分割複信（ＦＤＤ）による、ＳＤＭＡシステムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。システム１００はまた、送信のために単一のキャリアまたは複数のキャリアを利用するＭＩＭＯシステムであり得る。各ワイヤレス通信デバイス１２０は、（たとえば、コストを抑えるために）単一のアンテナを装備するか、または（たとえば、追加コストがサポートされ得る場合）複数のアンテナを装備し得る。システム１００は、送信／受信を異なるタイムスロットに分割することによってワイヤレス通信デバイス１２０が同じ周波数チャネルを共有する場合、ＴＤＭＡシステムでもあり得、ここで、各タイムスロットは異なるワイヤレス通信デバイス１２０に割り当てられ得る。
【００２５】
[0046]図２は、（ＭＩＭＯシステムとして示される）システム１００における、アクセスポイント１１０と（ユーザ端末１２０ｍおよびユーザ端末１２０ｘとして示される）２つのワイヤレス通信デバイスとのブロック図を示す。アクセスポイント１１０はＮt個のアンテナ２２４ａおよび２２４ａｐを装備する。ユーザ端末１２０ｍはＮut,m個のアンテナ２５２maおよび２５２muを装備し、ユーザ端末１２０ｘはＮut,x個のアンテナ２５２xaおよび２５２xuを装備する。アクセスポイント１１０は、ダウンリンクでは送信エンティティであり、アップリンクでは受信エンティティである。ワイヤレス通信デバイス１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のワイヤレス通信デバイス１２０がアップリンク上での同時送信のために選択され、Ｎdn個のワイヤレス通信デバイス１２０がダウンリンク上での同時送信のために選択される。ＮupはＮdnに等しいことも等しくないこともあり、ＮupおよびＮdnは静的な値であり得るか、または各スケジューリング間隔について変化し得る。ビームステアリングまたは何らかの他の空間処理技法がアクセスポイント１１０および／またはワイヤレス通信デバイス１２０において使用され得る。
【００２６】
[0047]アップリンク上で、アップリンク送信のために選択された各ワイヤレス通信デバイス１２０において、ＴＸデータプロセッサ２８８が、データソース２８６からトラフィックデータを受信し、コントローラ２８０から制御データを受信する。ＴＸデータプロセッサ２８８は、ワイヤレス通信デバイス１２０のために選択されたレートに関連するコーディングおよび変調方式に基づいてワイヤレス通信デバイス１２０のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の受信機／送信機ユニット２５４は、Ｎut,m個のアンテナ２５２からの送信のために、たとえばアクセスポイント１１０に送信するために、Ｎut,m個のアップリンク信号を与える。
【００２７】
[0048]Ｎup個のワイヤレス通信デバイス１２０が、アップリンク上での同時送信のためにスケジュールされ得る。これらのワイヤレス通信デバイス１２０の各々は、それのそれぞれのデータシンボルストリームに対して空間処理を実行し、アップリンク上で送信シンボルストリームのそれのそれぞれのセットをアクセスポイント１１０に送信し得る。
【００２８】
[0049]アクセスポイント１１０において、Ｎup個のアンテナ２２４ａ〜２２４apは、アップリンク上で送信するすべてのＮup個のワイヤレス通信デバイス１２０からアップリンク信号を受信する。各アンテナ２２４は、受信信号をそれぞれの受信機ユニット（ＲＣＶＲ）２２２に与える。各受信機／送信機ユニット２２２は、受信機／送信機ユニット２５４によって実行される処理を補足する処理を実行し、受信シンボルストリームを与える。ＲＸ空間プロセッサ２４０は、Ｎup個の受信機／送信機ユニット２２２からのＮup個の受信シンボルストリームに対して受信機空間処理を実行し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行され得る。各復元アップリンクデータシンボルストリームは、それぞれのユーザ端末によって送信されたデータシンボルストリームの推定値である。ＲＸデータプロセッサ２４２は、復号データを取得するために、各復元アップリンクデータシンボルストリームのために使用されたレートに応じてそのストリームを処理（たとえば、復調、デインターリーブ、および復号）する。各ワイヤレス通信デバイス１２０のための復号データは、記憶のためにデータシンク２４４に与えられ、および／またはさらなる処理のためにコントローラ２３０に与えられ得る。
【００２９】
[0050]ダウンリンク上で、アクセスポイント１１０において、ＴＸデータプロセッサ２１０が、ダウンリンク送信のためにスケジュールされたＮdn個のワイヤレス通信デバイス１２０のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ワイヤレス通信デバイス１２０のために選択されたレートに基づいてそのワイヤレス通信デバイス１２０のためのトラフィックデータを処理（たとえば、符号化、インターリーブ、および変調）する。ＴＸデータプロセッサ２１０はＮdn個のダウンリンクデータシンボルストリームをＮdn個のワイヤレス通信デバイス１２０に与える。ＴＸ空間プロセッサ２２０は、Ｎdn個のダウンリンクデータシンボルストリームに対して（プリコーディングまたはビームフォーミングなどの）空間処理を実行し、Ｎup個の送信シンボルストリームをＮup個のアンテナに与える。各受信機／送信機ユニット２２２は、ダウンリンク信号を生成するために、それぞれの送信シンボルストリームを受信し、処理する。Ｎup個の受信機／送信機ユニット２２２は、Ｎup個のアンテナ２２４からの送信のために、たとえばワイヤレス通信デバイス１２０に送信するために、Ｎup個のダウンリンク信号を与え得る。
【００３０】
[0051]各ワイヤレス通信デバイス１２０において、Ｎut,m個のアンテナ２５２はアクセスポイント１１０からＮup個のダウンリンク信号を受信する。各受信機／送信機ユニット２５４は、関連するアンテナ２５２からの受信信号を処理し、受信シンボルストリームを与える。ＲＸ空間プロセッサ２６０は、Ｎut,m個の受信機／送信機ユニット２５４からのＮut,m個の受信シンボルストリームに対して受信機空間処理を実行し、復元ダウンリンクデータシンボルストリームをワイヤレス通信デバイス１２０に与える。受信機空間処理は、ＣＣＭＩ、ＭＭＳＥ、または何らかの他の技法に従って実行され得る。ＲＸデータプロセッサ２７０は、ワイヤレス通信デバイス１２０のための復号データを取得するために、復元ダウンリンクデータシンボルストリームを処理（たとえば、復調、デインターリーブおよび復号）する。
【００３１】
[0052]各ワイヤレス通信デバイス１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のためのコントローラ２８０は、一般に、そのワイヤレス通信デバイス１２０のためのダウンリンクチャネル応答行列Ｈdn,mに基づいてワイヤレス通信デバイス１２０のための空間フィルタ行列を導出する。コントローラ２３０は、有効アップリンクチャネル応答行列Ｈup,effに基づいてアクセスポイント１１０のための空間フィルタ行列を導出する。各ワイヤレス通信デバイス１２０のためのコントローラ２８０は、フィードバック情報（たとえば、ダウンリンクおよび／またはアップリンク固有ベクトル、固有値、ＳＮＲ推定値など）をアクセスポイント１１０に送り得る。コントローラ２３０およびコントローラ２８０はまた、それぞれ、アクセスポイント１１０およびワイヤレス通信デバイス１２０における様々な処理ユニットの動作を制御し得る。
【００３２】
[0053]図３に、ワイヤレス通信システム１００内で採用され得るワイヤレス通信デバイス３０２において利用され得る様々な構成要素を示す。ワイヤレス通信デバイス３０２は、本明細書で説明される様々な方法を実装するように構成され得るデバイスの一例である。ワイヤレス通信デバイス３０２はアクセスポイント１１０またはワイヤレス通信デバイス１２０を実装し得る。
【００３３】
[0054]ワイヤレス通信デバイス３０２は、ワイヤレス通信デバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、メモリ３０６内に記憶されたプログラム命令に基づいて論理演算と算術演算とを実行し得る。メモリ３０６中の命令は、本明細書で説明される方法を実装するために実行可能であり得る。
【００３４】
[0055]プロセッサ３０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００３５】
[0056]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明される様々な機能を処理システムに実行させる。
【００３６】
[0057]ワイヤレス通信デバイス３０２はまた、ワイヤレス通信デバイス３０２と遠隔ロケーションとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数のトランシーバアンテナ３１６が、ハウジング３０８に取り付けられ、トランシーバ３１４に電気的に結合され得る。ワイヤレス通信デバイス３０２はまた、複数の送信機と、複数の受信機と、複数のトランシーバとを含み得る（図示せず）。
【００３７】
[0058]ワイヤレス通信デバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度および他の信号として検出し得る。ワイヤレス通信デバイス３０２は、信号を処理する際に使用するためのデジタル信号プロセッサ（ＤＳＰ）３２０をも含み得る。
【００３８】
[0059]ワイヤレス通信デバイス３０２の様々な構成要素は、データバスに加えて、電力バスと、制御信号バスと、ステータス信号バスとを含み得る、バスシステム３２２によって互いに結合され得る。
【００３９】
[0060]本開示のいくつかの態様は、複数のＳＴＡからＡＰにアップリンク（ＵＬ）チャネル状態情報（ＣＳＩ）を送信することをサポートする。いくつかの実施形態では、ＵＬ  ＣＳＩは、マルチユーザＭＩＭＯ（ＭＵ−ＭＩＭＯ）システムにおいて送信され得る。代替的に、ＵＬ  ＣＳＩは、マルチユーザＦＤＭＡ（ＭＵ−ＦＤＭＡ）、マルチユーザＯＦＤＭＡ（ＭＵ−ＯＦＤＭＡ）または同様のＦＤＭＡシステムにおいて送信され得る。詳細には、図４Ａ〜Ｄ、図５Ａ〜Ｂ、および図６は、ＵＬ−ＦＤＭＡ、ＵＬ−ＯＦＤＭＡ、または同様のＵＬ  ＦＤＭＡシステム送信に等しく適用され得る、ＵＬ−ＭＵ−ＭＩＭＯ送信４１０Ａおよび４１０Ｂを示す。これらの実施形態では、ＵＬ−ＭＵ−ＭＩＭＯ、ＵＬ−ＯＦＤＭＡ、または同様のＵＬ  ＦＤＭＡシステム送信は、複数のＳＴＡからＡＰに同時に送られることがあり、ワイヤレス通信における効率をもたらし得る。
【００４０】
[0061]本明細書で説明されるサウンディングプロシージャは、少なくとも「告知フレーム（announcement frame）」（または「ヌルデータパケット告知（ＮＤＰＡ）フレーム」）と、「ＣＳＩフレーム」とを備え、さらに「ヌルデータパケット（ＮＤＰ）フレーム」と、「トリガフレーム」（または「クリアツートランスミット（ＣＴＸ）フレーム」）と、「報告ポール（report poll）フレーム」とを備え得る。８０２．１１仕様のコンテキストでは、「フレーム」は、物理レイヤコンバージェンスプロトコルデータユニット（ＰＰＤＵ：physical layer convergence protocol data unit）、媒体アクセス制御プロトコルデータユニット（ＭＰＤＵ：medium access control protocol data unit）、またはそれらの何らかの部分（たとえば、ＰＰＤＵまたはＭＰＤＵのヘッダまたはプリアンブル）として識別され得る。（１つまたは複数の）告知フレームは、少なくとも、ＣＳＩを算出すべきか／どのように算出すべきかに関してＳＴＡに命令する、サウンディング告知情報と、ＵＬ−ＭＵ−ＭＩＭＯまたはＵＬ−ＯＦＤＭＡを使用することによってＣＳＩをどのように送るかに関してＳＴＡに命令する、ＵＬ−ＳＵまたはＵＬ−ＭＵリソース割振り情報とを伝達し得る。
【００４１】
[0062]サウンディング告知は、媒体アクセス制御（ＭＡＣ）ペイロード中でまたはそれのＰＨＹヘッダ中でサウンディング告知情報を搬送するＰＰＤＵを備え得る。サウンディング告知情報は、ＣＳＩを報告すべきであるＳＴＡの識別子を備え得、ＣＳＩの算出および送信のために使用可能な情報の追加のパラメータを備え得る。サウンディングＮＤＰフレームは、ＳＴＡが、送信機の１つまたは複数のアンテナとＳＴＡの１つまたは複数のアンテナとの間のチャネルを推定することを可能にする基準信号を与え、８０２．１１ａｘ  ＮＤＰフレーム、８０２．１１ａｃ  ＮＤＰフレーム、８０２．１１ｎ  ＮＤＰフレーム、８０２．１１ａｈ  ＮＤＰフレーム、または他の８０２．１１ベースのＮＤＰフレームであり得る。様々な態様では、ＮＤＰフレームのフォーマットは、図９に関して本明細書で説明されるフレーム９００と同様であり得る。一実施形態では、告知は、チャネル推定のための基準シグナリングを含み得、したがって、ＮＤＰフレームは送られないことがある。
【００４２】
[0063]いくつかの実施形態では、ＣＳＩは、通信リンクの知られているチャネルプロパティを備え得る。いくつかの態様では、ＣＳＩは、信号がどのように伝搬し、たとえば、距離に伴う散乱、フェージング、および電力減衰の複合的影響をどのように表すかを記述し得る。たとえば、ＭＵ−ＭＩＭＯ送信の場合、ＣＳＩは、ビームフォーミング行列と、受信信号強度と、アンテナの重み付けが空間領域における干渉を緩和することを可能にする他の情報とのうちの１つまたは複数を備え得る。
【００４３】
[0064]図４Ａは、シングルユーザ（ＳＵ）環境における、ＡＰ１１０とワイヤレス通信デバイス１２０（たとえば、図４Ａ中のＳＴＡ１として示される、図１のワイヤレス通信デバイス１２０ａ）との間のチャネル状態情報（ＣＳＩ）フィードバックのフレーム交換４００ａの一例を示す、時間シーケンス図である。図４Ａに示されているように、および図１に関連して、ＡＰ１１０は、サウンディングフレーム（図４Ａに示されているように、サウンディングＮＤＰ４０５）が来つつあることと、ワイヤレス通信デバイス１２０が、来つつあるサウンディングフレームの対象受信側であることと、それのフォーマットと、を示すサウンディング告知（announcement）４０１を、ワイヤレス通信デバイス１２０に送信し得る。いくつかの実施形態では、サウンディング告知４０１は、来つつあるサウンディングＮＤＰ４０５の存在を示さないことがあり、サウンディングＮＤＰ４０５は、それがサウンディングＮＤＰ４０５であることをそれ自体で示し得る。他の実施形態では、サウンディング告知４０１もサウンディングＮＤＰ４０５も、サウンディングＮＤＰ４０５がサウンディングＮＤＰであることを示さず、ワイヤレス通信デバイス１２０は、代わりに、サウンディングＮＤＰ４０５がサウンディングＮＤＰであるとそれら自体で決定し得る。例示的な実施形態では、サウンディング告知４０１は、ＰＰＤＵ中に含まれているＮＤＰＡである。いくつかの態様では、サウンディング告知４０１は、サウンディングＮＤＰ４０５がＨＥ  ＮＤＰまたはＶＨＴ  ＮＤＰであることを示す。このインジケーションは、サウンディング告知４０１中の１つまたは複数のビットを備え得る。一実施形態では、サウンディングＮＤＰ４０５がＨＥ  ＮＤＰであること、またはサウンディングＮＤＰ４０５がＶＨＴ  ＮＤＰであることを示すために、ＮＤＰＡサウンディングダイアログトークンフィールド（dialog token field）中の予約済みビットが使用される。別の実施形態では、ＡＰ１１０は、ＨＥサウンディングまたはＶＨＴサウンディングを示すためにダイアログトークンフィールドの特定の値を指定する。これらの実施形態のいずれかによれば、サウンディングＮＤＰ４０５を受信するワイヤレス通信デバイス１２０は、ＨＥサウンディングを使用するＣＳＩで応答すべきなのかＶＨＴサウンディングを使用するＣＳＩで応答すべきなのかを知る。
【００４４】
[0065]いくつかの実施形態では、サウンディング告知４０１はまた、受信側ワイヤレス通信デバイス１２０に、サウンディングＮＤＰ４０５の後に同時に応答するように命令し得る。様々な態様では、ワイヤレス通信デバイス１２０は、サウンディングＮＤＰ４０５を受信してからショートフレーム間スペース（ＳＩＦＳ：short interframe space）時間期間後に応答するように命令され得る。サウンディング告知４０１は、ワイヤレス通信デバイス１２０に、ＣＳＩの送信のために（たとえば、ＣＳＩ送信４１０Ａのために）、レガシー（たとえば、８０２．１１ａｃ）、ＵＬ−ＭＵ−ＭＩＭＯ、ＵＬ−ＯＦＤＭＡ、またはそれらの組合せと、対応するパラメータとを使用するようにさらに命令し得る。サウンディング告知４０１は、図７Ａまたは図７Ｂに関して本明細書で説明されるフレーム７００または７０１と同様のフォーマットに従って送信され得る。
【００４５】
[0066]ＡＰ１１０は、次いで、サウンディング告知４０１に続くサウンディングＮＤＰ４０５を送信し得る。サウンディングＮＤＰ４０５に応答して、ワイヤレス通信デバイス１２０は、ＣＳＩをＡＰ１１０に送信し得る。詳細には、サウンディング告知４０１によって識別されたワイヤレス通信デバイス１２０は、サウンディングＮＤＰ４０５に基づいてチャネルを推定し、サウンディングフィードバックＣＳＩ送信中で、推定されたチャネルの表現(representation)を送り得る。図４Ａでは、ＳＴＡ１は、ＣＳＩ送信４１０ＡをＡＰ１１０に送信する。ＣＳＩ送信４１０は、レガシー送信、ＵＬ−ＭＵ−ＭＩＭＯ送信、ＵＬ−ＯＦＤＭＡ送信、またはそれらの何らかの組合せであり得る。ＣＳＩ送信４１０Ａを受信すると、ＡＰ１１０は、ＡＰ１１０からワイヤレス通信デバイス１２０（たとえば、ＳＴＡ１）へのチャネルに関する情報を正確に決定し得る。サウンディングＮＤＰ４０５は、図９に関して本明細書で説明されるフレーム９００のフォーマットと同様のフォーマットに従って送信され得る。いくつかの態様では、サウンディングＮＤＰ４０５は、高効率ＮＤＰ（ＨＥ  ＮＤＰ：high-efficiency NDP）であり得る。様々な態様では、サウンディング告知４０１とサウンディングＮＤＰ４０５との間の時間は、ＳＩＦＳ時間期間であり得、サウンディングＮＤＰ４０５とＣＳＩ送信４１０Ａとの間のタイミングは、ＳＩＦＳ（またはポイントフレーム間スペース（ＰＩＦＳ：point interframe space））時間期間であり得る。他の態様では、ＣＳＩをワイヤレス通信デバイス１２０に要求するために、シングルユーザビームフォーミング報告またはマルチユーザビームフォーミング報告（ＳＵ  ＢＲまたはＭＵ  ＢＲ）ポールが使用され得る。
【００４６】
[0067]図４Ｂは、ＡＰ１１０と複数のワイヤレス通信デバイス１２０（たとえば、図４Ｂ中のＳＴＡ１およびＳＴＡ２として示される、図１のワイヤレス通信デバイス１２０ａおよび１２０ｂ）との間のＣＳＩフィードバックのフレーム交換４００ｂの一例を示す時間シーケンス図である。フレーム交換４００ｂは、図４Ａのフレーム交換４００ａと同様であり得るが、複数のワイヤレス通信デバイス１２０とともに、ＣＳＩを決定し、通信するために、ＭＵ−ＭＩＭＯまたはＯＦＤＭＡプロトコルを使用し得る。図４Ｂに示されているように、および図１に関連して、ＡＰ１１０は、パケット４０２をワイヤレス通信デバイス１２０に送信し得る。パケット４０２は、どのワイヤレス通信デバイス１２０が対象受信側であるかと、来つつあるサウンディングフレーム（図４Ｂに示されているように、サウンディングＮＤＰ４０５）のフォーマットとを示すサウンディング告知４０１を備え得る。いくつかの態様では、サウンディング告知４０１中で示されるワイヤレス通信デバイス１２０は、能力の特定のセットのものにすぎないことがある。一実施形態では、サウンディング告知４０１中で示されるワイヤレス通信デバイス１２０は、ＨＥ  ＳＴＡであり得る。例示的な実施形態では、サウンディング告知４０１は、ＰＰＤＵであるパケット４０２中に含まれているＮＤＰＡである。この実施形態によれば、ワイヤレス通信デバイス１２０がシングルユーザＣＳＩで直ちに応答しないように、ＭＵサウンディングが使用されることを、ＰＰＤＵ中の（１つまたは複数の）ビットがワイヤレス通信デバイス１２０に示し得る。他の実施形態では、ワイヤレス通信デバイスが、サウンディングＮＤＰ４０５を受信した直後にシングルユーザＣＳＩで応答しないように、偽の割振り識別子（ＡＩＤ：allocation identifier）がサウンディング告知４０１の第１の局ＡＩＤフィールド中に含まれていることがある。この偽のＡＩＤは、本明細書では予約済みフィールドと呼ばれることもある。いくつかの態様では、サウンディング告知４０１は、サウンディングＮＤＰ４０５がＨＥ  ＮＤＰまたはＶＨＴ  ＮＤＰであることを示す。このインジケーションは、サウンディング告知４０１中の１つまたは複数のビットを備え得る。一実施形態では、サウンディングＮＤＰ４０５がＨＥ  ＮＤＰであること、またはサウンディングＮＤＰ４０５がＶＨＴ  ＮＤＰであることを示すために、ＮＤＰＡサウンディングダイアログトークンフィールド中の予約済みビットが使用される。別の実施形態では、ＡＰ１１０は、ＨＥサウンディングまたはＶＨＴサウンディングを示すためにダイアログトークンフィールドの特定の値を指定する。これらの実施形態のいずれかによれば、サウンディングＮＤＰ４０５を受信するワイヤレス通信デバイス１２０は、ＨＥサウンディングを使用するＣＳＩで応答すべきなのかＶＨＴサウンディングを使用するＣＳＩで応答すべきなのかを知る。
【００４７】
[0068]いくつかの実施形態では、サウンディング告知４０１はまた、受信側ワイヤレス通信デバイス１２０の一部または全部に、サウンディングＮＤＰ４０５の後に同時に応答するように命令し得る。様々な態様では、ワイヤレス通信デバイス１２０は、サウンディングＮＤＰ４０５を受信してからＳＩＦＳ時間期間後に応答するように命令され得る。サウンディング告知４０１は、ワイヤレス通信デバイス１２０に、ＣＳＩの送信のために（たとえば、ＣＳＩ送信４１０Ａおよび４１０Ｂのために）、ＵＬ−ＭＵ−ＭＩＭＯ、ＵＬ−ＯＦＤＭＡ、または両方の組合せと、対応するパラメータとを使用するようにさらに命令し得る。サウンディング告知４０１は、図７Ａまたは図７Ｂに関して本明細書で説明されるフレーム７００または７０１と同様のフォーマットに従って送信され得る。
【００４８】
[0069]パケット４０２はトリガフレーム４０４をも備え得る。様々な態様では、トリガフレーム４０４は、特定のワイヤレス通信デバイス１２０が送信（たとえば、送信４１０Ａまたは４１０Ｂ）を開始することを知るように、どのワイヤレス通信デバイス１２０がフレーム交換４００ｂに参加すべきであるかを示し得る。いくつかの態様では、トリガフレーム４０４は、ＡＰ１１０によって要求されたＣＳＩの送信のためにまたは他のアップリンク送信のために、リソース割振りのインジケーションをワイヤレス通信デバイス１２０に与え得る。いくつかの実施形態では、リソース割振りのインジケーションは、ワイヤレス通信デバイス１２０に割り振られた空間ストリームまたは周波数帯域幅のインジケーションであり、それは特定のトーンまたはサブバンド割振りであり得る。サウンディング告知４０１は、トリガフレーム４０４とアグリゲートされ得る。たとえば、サウンディング告知４０１およびトリガフレーム４０４は、同じＰＰＤＵ送信（たとえば、パケット４０２）のペイロード内でそれぞれ送信され得る。別の例では、トリガフレーム４０４は、送信間の時間なしにサウンディング告知４０１の後に送られる。トリガフレーム４０４は、図８に関して本明細書で説明されるフレーム８００と同様のフォーマットに従って送信され得る。
【００４９】
[0070]ＡＰ１１０は、次いで、パケット４０２に続くサウンディングＮＤＰ４０５を送信し得る。サウンディングＮＤＰ４０５に応答して、ワイヤレス通信デバイス１２０は、ＣＳＩをＡＰ１１０に送信し得る。詳細には、サウンディング告知４０１によって識別されたワイヤレス通信デバイス１２０は、サウンディングＮＤＰ４０５に基づいてチャネルを推定し、サウンディングフィードバックＣＳＩ送信中で、推定されたチャネルの表現を送り得る。図４Ｂでは、ＳＴＡ１およびＳＴＡ２が、ＣＳＩ送信４１０Ａおよび４１０ＢをＡＰ１１０にコンカレントに送信する。ＣＳＩ送信４１０Ａおよび４１０Ｂは、ＵＬ−ＭＵ−ＭＩＭＯ送信、ＵＬ−ＯＦＤＭＡ送信、またはそれらの何らかの組合せであり得る。いくつかの実施形態では、コンカレント送信は、同じ時間に、またはあるしきい値時間期間内に行われ得る。これらのコンカレント送信は、トリガフレーム４０４中で与えられるリソース割振りを利用し得る。ＣＳＩ送信４１０Ａおよび４１０Ｂを受信すると、ＡＰ１１０は、ＡＰ１１０からワイヤレス通信デバイス１２０（たとえば、ＳＴＡ１およびＳＴＡ２）の各々へのチャネルに関する情報を正確に決定し得る。サウンディングＮＤＰ４０５は、図９に関して本明細書で説明されるフレーム９００のフォーマットと同様のフォーマットに従って送信され得る。一実施形態では、サウンディングＮＤＰ４０５は、ＭＵ  ＣＳＩ応答がワイヤレス通信デバイス１２０に要求されることを示す、１つまたは複数のビットを備え得る。いくつかの態様では、サウンディングＮＤＰ４０５はＨＥ  ＮＤＰであり得る。様々な態様では、サウンディング告知４０１とサウンディングＮＤＰ４０５との間の時間は、ＳＩＦＳ時間期間であり得、サウンディングＮＤＰ４０５とＣＳＩ送信４１０Ａおよび４１０Ｂとの間のタイミングは、ＳＩＦＳ（またはＰＩＦＳ）時間期間であり得る。
【００５０】
[0071]いくつかの態様では、ＡＰ１１０は、空間ストリームまたは周波数帯域幅のトーンまたはサブバンドについてＣＳＩを各ワイヤレス通信デバイス１２０に要求するために、パケット４０２を利用し得る。たとえば、サウンディング告知４０１またはサウンディングＮＤＰ４０５は、各ワイヤレス通信デバイス１２０ごとに、それについてＣＳＩが要求されるサブバンドのインジケーションを含んでいることがある。一実施形態では、トリガフレーム４０４中の各ワイヤレス通信デバイス１２０に割り振られた空間ストリームまたは帯域幅は、その空間ストリームまたは帯域幅についてＣＳＩがワイヤレス通信デバイス１２０に要求されることを示し得る。したがって、ワイヤレス通信デバイス１２０は、送信４１０Ａおよび４１０Ｂ中で、空間ストリームまたは帯域幅について、要求されたＣＳＩで応答し得る。
【００５１】
[0072]いくつかの態様では、サウンディング告知４０１およびトリガフレーム４０４は、ワイヤレス通信デバイス１２０が、帯域幅の一部分を報告することを要求されるにすぎないにもかかわらず、２０／４０／８０／１６０ＭＨｚ上で送られる。他の態様では、サウンディング告知４０１は、サブバンドに割り振られた各ワイヤレス通信デバイス１２０またはワイヤレス通信デバイス１２０のグループごとに、そのサブバンド上でワイヤレス通信デバイス１２０の各々に送られ得る。サウンディング告知４０１は、ＰＰＤＵ（たとえば、パケット４０２）のＭＡＣフレーム中に含まれていることがあり、またはＰＰＤＵのヘッダ中のインジケーションを含んでいることがある。各ワイヤレス通信デバイス１２０は、サウンディング告知４０１がその上で受信されたサブバンドについてＣＳＩを算出し得る。この実施形態によれば、サウンディングＮＤＰは、２０／４０／８０／１６０ＭＨｚ上で送られ得る。その後、ワイヤレス通信デバイス１２０は、送信４１０Ａおよび４１０Ｂ中でＣＳＩで返答し得る。一実施形態では、ダウンリンク帯域幅とアップリンク帯域幅とは同じであり得る。また、上記で説明された実施形態は組み合わせられ得る。たとえば、異なるサウンディング告知４０１が、各２０ｍＨｚサブバンド上で送られ得、各ワイヤレス通信デバイス１２０ごとに、ＣＳＩのためのサブバンドをも示し得る。ＣＳＩ、あるいはトーンまたはサブバンドのみを要求する上記の実施形態は、図４Ａ、図４Ｃ〜Ｄ、図５Ａ〜Ｂ、および図６に関して詳細に説明されないが、これらの実施形態は、同じまたは同様の様式でそれらにも適用され得ることを、当業者は諒解されよう。
【００５２】
[0073]図４Ｃは、ＡＰ１１０と複数のワイヤレス通信デバイス１２０（たとえば、図４Ｃ中のＳＴＡ１およびＳＴＡ２として示される、図１のワイヤレス通信デバイス１２０ａおよび１２０ｂ）との間のＣＳＩフィードバックのフレーム交換４００ｃの別の例を示す時間シーケンス図である。フレーム交換４００ｃは、複数のワイヤレス通信デバイス１２０とともに、ＣＳＩを決定し、通信するために、ＭＵ−ＭＩＭＯまたはＯＦＤＭＡプロトコルを使用し得る。図４Ｃに示されているように、および図１に関連して、ＡＰ１１０は、どのワイヤレス通信デバイス１２０が対象受信側であるかと、来つつあるサウンディングフレーム（図４Ｃに示されているように、サウンディングＮＤＰ４０５）のフォーマットとを示すサウンディング告知４０１を、ワイヤレス通信デバイス１２０に送信し得る。例示的な実施形態では、サウンディング告知４０１は、ＮＤＰＡを備えるＰＰＤＵである。いくつかの態様では、サウンディング告知４０１は、サウンディングＮＤＰ４０５がＨＥ  ＮＤＰまたはＶＨＴ  ＮＤＰであることを示す。このインジケーションは、サウンディング告知４０１中の１つまたは複数のビットを備え得る。一実施形態では、サウンディングＮＤＰ４０５がＨＥ  ＮＤＰであること、またはサウンディングＮＤＰ４０５がＶＨＴ  ＮＤＰであることを示すために、ＮＤＰＡサウンディングダイアログトークンフィールド中の予約済みビットが使用される。別の実施形態では、ＡＰ１１０は、ＨＥサウンディングまたはＶＨＴサウンディングを示すためにダイアログトークンフィールドの特定の値を指定する。これらの実施形態のいずれかによれば、サウンディングＮＤＰ４０５を受信するワイヤレス通信デバイス１２０は、ＨＥサウンディングを使用するＣＳＩで応答すべきなのかＶＨＴサウンディングを使用するＣＳＩで応答すべきなのかを知る。
【００５３】
[0074]いくつかの実施形態では、サウンディング告知４０１はまた、受信側ワイヤレス通信デバイス１２０の一部または全部に、トリガフレーム４０４の後に同時に応答するように命令し得る。様々な態様では、ワイヤレス通信デバイス１２０は、トリガフレーム４０４を受信してからＳＩＦＳ時間期間後に応答するように命令され得る。サウンディング告知４０１は、ワイヤレス通信デバイス１２０に、ＣＳＩの送信のために（たとえば、ＣＳＩ送信４１０Ａおよび４１０Ｂのために）、ＵＬ−ＭＵ−ＭＩＭＯ、ＵＬ−ＯＦＤＭＡ、または両方の組合せと、対応するパラメータとを使用するようにさらに命令し得る。サウンディング告知４０１は、図７Ａまたは図７Ｂに関して本明細書で説明されるフレーム７００または７０１と同様のフォーマットに従って送信され得る。
【００５４】
[0075]ＡＰ１１０は、次いで、サウンディング告知４０１に続くサウンディングＮＤＰ４０５を送信し得る。ＡＰはまた、サウンディングＮＤＰ４０５に続くトリガフレーム４０４を送信し得る。トリガフレーム４０４に応答して、ワイヤレス通信デバイス１２０は、ＣＳＩをＡＰ１１０に送信し得る。詳細には、サウンディング告知４０１によって識別されたワイヤレス通信デバイス１２０は、サウンディングＮＤＰ４０５に基づいてチャネルを推定し、サウンディングフィードバックＣＳＩ送信中で、推定されたチャネルの表現を送り得る。図４Ｃでは、ＳＴＡ１およびＳＴＡ２が、ＣＳＩ送信４１０Ａおよび４１０ＢをＡＰ１１０にコンカレントに送信する。ＣＳＩ送信４１０Ａおよび４１０Ｂは、ＵＬ−ＭＵ−ＭＩＭＯ送信、ＵＬ−ＯＦＤＭＡ送信、またはそれらの何らかの組合せであり得る。いくつかの実施形態では、コンカレント送信は、同じ時間に、またはあるしきい値時間期間内に行われ得る。これらのコンカレント送信は、トリガフレーム４０４中で与えられるリソース割振りを利用し得る。ＣＳＩ送信４１０Ａおよび４１０Ｂを受信すると、ＡＰ１１０は、ＡＰ１１０からワイヤレス通信デバイス１２０（たとえば、ＳＴＡ１およびＳＴＡ２）の各々へのチャネルに関する情報を正確に決定し得る。サウンディングＮＤＰ４０５は、図９に関して本明細書で説明されるフレーム９００のフォーマットと同様のフォーマットに従って送信され得る。いくつかの態様では、サウンディングＮＤＰ４０５はＨＥ  ＮＤＰであり得る。トリガフレーム４０４は、図８に関して本明細書で説明されるフレーム８００のフォーマットと同様のフォーマットに従って送信され得る。様々な態様では、サウンディング告知４０１とサウンディングＮＤＰ４０５との間の時間は、ＳＩＦＳ時間期間であり得、サウンディングＮＤＰ４０５とトリガフレーム４０４との間の時間は、ＳＩＦＳ時間期間であり得、トリガフレーム４０４とＣＳＩ送信４１０Ａおよび４１０Ｂとの間のタイミングは、ＳＩＦＳ（またはＰＩＦＳ）時間期間であり得る。
【００５５】
[0076]図４Ｄは、ＡＰ１１０と複数のワイヤレス通信デバイス１２０（たとえば、図４Ｄ中のＳＴＡ１およびＳＴＡ２として示される、図１のワイヤレス通信デバイス１２０ａおよび１２０ｂ）との間のＣＳＩフィードバックのフレーム交換４００ｄの別の例を示す時間シーケンス図である。フレーム交換４００ｄは、複数のワイヤレス通信デバイス１２０とともに、ＣＳＩを決定し、通信し、データとそれの確認応答（ＡＣＫ）情報とを送信するために、ＭＵ−ＭＩＭＯまたはＯＦＤＭＡプロトコルを使用し得る。図４Ｄに示されているように、および図１に関連して、ＡＰ１１０は、パケット４０３をワイヤレス通信デバイス１２０に送信し得る。パケット４０３は、ワイヤレス通信デバイス１２０に送られ、どのワイヤレス通信デバイス１２０が対象受信側であるかと、来つつあるサウンディングフレーム（図４Ｄに示されているように、サウンディングＮＤＰ４０５）のフォーマットとを示すサウンディング告知４０１を備え得る。例示的な実施形態では、サウンディング告知４０１は、ＮＤＰＡを備えるＰＰＤＵである。いくつかの態様では、サウンディング告知４０１は、サウンディングＮＤＰ４０５がＨＥ  ＮＤＰまたはＶＨＴ  ＮＤＰであることを示す。このインジケーションは、サウンディング告知４０１中の１つまたは複数のビットを備え得る。一実施形態では、サウンディングＮＤＰ４０５がＨＥ  ＮＤＰであること、またはサウンディングＮＤＰ４０５がＶＨＴ  ＮＤＰであることを示すために、ＮＤＰＡサウンディングダイアログトークンフィールド中の予約済みビットが使用される。別の実施形態では、ＡＰ１１０は、ＨＥサウンディングまたはＶＨＴサウンディングを示すためにダイアログトークンフィールドの特定の値を指定する。これらの実施形態のいずれかによれば、サウンディングＮＤＰ４０５を受信するワイヤレス通信デバイス１２０は、ＨＥサウンディングを使用するＣＳＩで応答すべきなのかＶＨＴサウンディングを使用するＣＳＩで応答すべきなのかを知る。
【００５６】
[0077]いくつかの実施形態では、サウンディング告知４０１はまた、受信側ワイヤレス通信デバイス１２０の一部または全部に、サウンディングＮＤＰ４０５の後に同時に応答するように命令し得る。様々な態様では、ワイヤレス通信デバイス１２０は、サウンディングＮＤＰ４０５を受信してからＳＩＦＳ時間期間後に応答するように命令され得る。サウンディング告知４０１は、ワイヤレス通信デバイス１２０に、ＣＳＩの送信のために（たとえば、ＣＳＩ送信４１０Ａおよび４１０Ｂのために）、ＵＬ−ＭＵ−ＭＩＭＯ、ＵＬ−ＯＦＤＭＡ、または両方の組合せと、対応するパラメータとを使用するようにさらに命令し得る。サウンディング告知４０１は、図７Ａまたは図７Ｂに関して本明細書で説明されるフレーム７００または７０１と同様のフォーマットに従って送信され得る。
【００５７】
[0078]図４Ｄに示されているように、パケット４０３は、データまたは管理情報４０６をも備え得る。このデータまたは管理情報４０６は、ワイヤレス通信システム（たとえば、システム１００）におけるオーバーヘッドを減らすために、サウンディング告知４０１とともにワイヤレス通信デバイス１２０に送信され得る。
【００５８】
[0079]ＡＰ１１０は、次いで、サウンディング告知４０１に続くサウンディングＮＤＰ４０５を送信し得る。ＡＰはまた、サウンディングＮＤＰ４０５に続くトリガフレーム４０４を送信し得る。トリガフレーム４０４に応答して、ワイヤレス通信デバイス１２０は、ＣＳＩをＡＰ１１０に送信し得る。詳細には、サウンディング告知４０１によって識別されたワイヤレス通信デバイス１２０は、サウンディングＮＤＰ４０５に基づいてチャネルを推定し、サウンディングフィードバックＣＳＩ送信中で、推定されたチャネルの表現を送り得る。図４Ｄでは、ＳＴＡ１およびＳＴＡ２が、ＣＳＩ送信４１０Ａおよび４１０ＢをＡＰ１１０にコンカレントに送信する。ＣＳＩ送信４１０Ａおよび４１０Ｂは、ＵＬ−ＭＵ−ＭＩＭＯ送信、ＵＬ−ＯＦＤＭＡ送信、またはそれらの何らかの組合せであり得る。いくつかの実施形態では、コンカレント送信は、同じ時間に、またはあるしきい値時間期間内に行われ得る。これらのコンカレント送信は、トリガフレーム４０４中で与えられるリソース割振りを利用し得る。ＣＳＩ送信４１０Ａおよび４１０Ｂを受信すると、ＡＰ１１０は、ＡＰ１１０からワイヤレス通信デバイス１２０（たとえば、ＳＴＡ１およびＳＴＡ２）の各々へのチャネルに関する情報を正確に決定し得る。データまたは管理情報４０６が送信される場合、ワイヤレス通信デバイス１２０はまた、送信４１２Ａおよび４１２Ｂ中で、データまたは管理情報４０６の確認応答（ＡＣＫ）またはブロック確認応答（ＢＡ）をＡＰ１１０に送信し得る。サウンディングＮＤＰ４０５は、図９に関して本明細書で説明されるフレーム９００のフォーマットと同様のフォーマットに従って送信され得る。いくつかの態様では、サウンディングＮＤＰ４０５はＨＥ  ＮＤＰであり得る。様々な態様では、サウンディング告知４０１とサウンディングＮＤＰ４０５との間の時間は、ＳＩＦＳ時間期間であり得、サウンディングＮＤＰ４０５とＣＳＩ送信４１０Ａおよび４１０Ｂとの間のタイミングは、ＳＩＦＳ（またはＰＩＦＳ）時間期間であり得る。
【００５９】
[0080]図５Ａは、ＡＰ１１０と複数のワイヤレス通信デバイス１２０（たとえば、図５Ａ中のＳＴＡ１およびＳＴＡ２として示される、図１のワイヤレス通信デバイス１２０ａおよび１２０ｂ）との間のＣＳＩフィードバックのフレーム交換５００ａの別の例を示す時間シーケンス図である。フレーム交換５００ａは、１つまたは複数のワイヤレス通信デバイス１２０とともに、ＣＳＩを決定し、通信するために、レガシー、ＭＵ−ＭＩＭＯ、またはＯＦＤＭＡプロトコルを使用し得る。図５Ａに示されているように、および図１に関連して、ＡＰ１１０は、パケット４０２をワイヤレス通信デバイス１２０に送信し得る。パケット４０２は、どのワイヤレス通信デバイス１２０が対象受信側であるかと、来つつある（１つまたは複数の）サウンディングフレーム（図５Ａに示されているように、サウンディングＮＤＰ４０７およびサウンディングＮＤＰ４０５）のフォーマットとを示すサウンディング告知４０１を備え得る。例示的な実施形態では、パケット４０２はＰＰＤＵであり、サウンディング告知４０１は、それの一部分であり、ＮＤＰＡを備える。いくつかの態様では、サウンディング告知４０１は、サウンディングＮＤＰ４０５がＨＥ  ＮＤＰであること、サウンディングＮＤＰ４０７がＶＨＴ  ＮＤＰであること、またはその両方を示す。これらのインジケーションは、サウンディング告知４０１中の１つまたは複数のビットを備え得る。一実施形態では、サウンディングＮＤＰ４０５がＨＥ  ＮＤＰであること、サウンディングＮＤＰ４０７がＶＨＴ  ＮＤＰであること、またはその両方を示すために、ＮＤＰＡサウンディングダイアログトークンフィールド中の予約済みビットが使用される。別の実施形態では、ＡＰ１１０は、ＨＥサウンディング、ＶＨＴサウンディング、またはその両方を示すためにダイアログトークンフィールドの特定の値を指定する。これらの実施形態のいずれかによれば、サウンディングＮＤＰ４０５またはサウンディングＮＤＰ４０７を受信するワイヤレス通信デバイス１２０は、ＨＥサウンディングを使用するＣＳＩで応答すべきなのか、ＶＨＴサウンディングを使用するＣＳＩで応答すべきなのか、それらの何らかの組合せを使用するＣＳＩで応答すべきなのかを知る。
【００６０】
[0081]いくつかの実施形態では、サウンディング告知４０１はまた、受信側ワイヤレス通信デバイス１２０の一部または全部に、サウンディングＮＤＰ４０５の後に同時に応答するように命令し得る。様々な態様では、ワイヤレス通信デバイス１２０は、サウンディングＮＤＰ４０５を受信してからＳＩＦＳ時間期間後に応答するように命令され得る。サウンディング告知４０１は、ワイヤレス通信デバイス１２０に、ＣＳＩの送信のために（たとえば、ＣＳＩ送信４１０Ａおよび４１０Ｂのために）、レガシーＰＰＤＵ、ＵＬ−ＭＵ−ＭＩＭＯ、ＵＬ−ＯＦＤＭＡ、またはそれらの組合せと、対応するパラメータとを使用するようにさらに命令し得る。サウンディング告知４０１は、図７Ａまたは図７Ｂに関して本明細書で説明されるフレーム７００または７０１のフォーマットと同様のフォーマットに従って送信され得る。
【００６１】
[0082]パケット４０２はトリガフレーム４０４をも備え得る。様々な態様では、トリガフレーム４０４は、特定のワイヤレス通信デバイス１２０が送信（たとえば、送信４１０Ａまたは４１０Ｂ）を開始することを知るように、どのワイヤレス通信デバイス１２０がフレーム交換５００ａに参加すべきであるかを示し得る。いくつかの態様では、トリガフレーム４０４は、ＡＰ１１０によって要求されたＣＳＩの送信のために、リソース割振りのインジケーションをワイヤレス通信デバイス１２０に与え得る。いくつかの実施形態では、リソース割振りのインジケーションは、ワイヤレス通信デバイス１２０に割り振られた空間ストリームまたは周波数帯域幅のインジケーションであり、それは特定のトーンまたはサブバンド割振りであり得る。サウンディング告知４０１は、トリガフレーム４０４とアグリゲートされ得る。たとえば、サウンディング告知４０１およびトリガフレーム４０４は、同じＰＰＤＵ送信（たとえば、パケット４０２）のペイロード内でそれぞれ送信され得る。別の例では、トリガフレーム４０４は、送信間の時間なしにサウンディング告知４０１の後に送られる。トリガフレーム４０４は、図８に関して本明細書で説明されるフレーム８００と同様のフォーマットに従って送信され得る。
【００６２】
[0083]ＡＰ１１０は、次いで、サウンディング告知４０１およびトリガフレーム４０４の送信に続くサウンディングＮＤＰ４０７を送信し得る。ＡＰはまた、サウンディングＮＤＰ４０７に続くサウンディングＮＤＰ４０５を送信し得る。能力の第１のセットのワイヤレス通信デバイス１２０が、サウンディングＮＤＰ４０７に基づいてチャネルを推定し得るように、および能力の第２のセットのワイヤレス通信デバイス１２０が、サウンディングＮＤＰ４０５に基づいてチャネルを推定し得るように、複数のサウンディングＮＤＰが使用され得る。例示的な一実施形態では、サウンディングＮＤＰ４０７は超高スループット（ＶＨＴ）デバイスによって使用可能であり、サウンディングＮＤＰ４０５はＨＥデバイスによって使用可能である。サウンディングＮＤＰ４０５に応答して、ワイヤレス通信デバイス１２０は、ＣＳＩをＡＰ１１０に送信し得る。詳細には、サウンディング告知４０１によって識別されたワイヤレス通信デバイス１２０は、サウンディングＮＤＰ４０５とサウンディングＮＤＰ４０７とに基づいてチャネルを推定し、サウンディングフィードバックＣＳＩ送信中で、推定されたチャネルの表現を送り得る。屋内使用のみが企図される実施形態では、ＶＨＴサウンディングＮＤＰ４０７が送信され得、ＨＥサウンディングＮＤＰ４０５が送信されないことがある。図５Ａでは、ＳＴＡ１およびＳＴＡ２が、ＣＳＩ送信４１０Ａおよび４１０ＢをＡＰ１１０にコンカレントに送信する。ＣＳＩ送信４１０Ａおよび４１０Ｂは、レガシー送信、ＵＬ−ＭＵ−ＭＩＭＯ送信、ＵＬ−ＯＦＤＭＡ送信、またはそれらの何らかの組合せであり得る。いくつかの実施形態では、コンカレント送信は、同じ時間に、またはあるしきい値時間期間内に行われ得る。これらのコンカレント送信は、トリガフレーム４０４中で与えられるリソース割振りを利用し得る。ＣＳＩ送信４１０Ａおよび４１０Ｂを受信すると、ＡＰ１１０は、ＡＰ１１０からワイヤレス通信デバイス１２０（たとえば、ＳＴＡ１およびＳＴＡ２）の各々へのチャネルに関する情報を正確に決定し得る。サウンディングＮＤＰ４０５は、図９に関して本明細書で説明されるフレーム９００のフォーマットと同様のフォーマットに従って送信され得る。いくつかの態様では、８０２．１１ａｃに従って、サウンディングＮＤＰ４０５はＨＥ  ＮＤＰであり得、サウンディングＮＤＰ４０７はＶＨＴ  ＮＤＰであり得る。様々な態様では、パケット４０２とサウンディングＮＤＰ４０７との間の時間は、ＳＩＦＳ時間期間であり得、サウンディングＮＤＰ４０７とサウンディングＮＤＰ４０５との間の時間は、ＳＩＦＳ時間期間であり得、サウンディングＮＤＰ４０５とＣＳＩ送信４１０Ａおよび４１０Ｂとの間のタイミングは、ＳＩＦＳ（またはＰＩＦＳ）時間期間であり得る。
【００６３】
[0084]いくつかの態様では、サウンディング告知４０１は、両方の能力のＳＴＡによって理解され得るＮＤＰＡを備え得る。一実施形態では、このＮＤＰＡは、ＶＨＴ  ＮＤＰＡまたは変更されたＶＨＴ  ＮＤＰＡである。この実施形態によれば、ＮＤＰＡは、ＶＨＴワイヤレス通信デバイス１２０がサウンディングＮＤＰ４０７の直後に応答しないことを確認する必要がある。いくつかの態様では、これは、ＮＤＰＡの第１のＳＴＡ情報フィールド中のＡＩＤを、ＶＨＴワイヤレス通信デバイス１２０に対応しない値に設定することによって達成される。他の態様では、これは、ＮＤＰＡの第１のＳＴＡ情報フィールド中のＡＩＤを、どのＶＨＴワイヤレス通信デバイス１２０またはＨＥワイヤレス通信デバイス１２０にも対応しない値に設定することによって達成される。ワイヤレス通信デバイス１２０の応答時間を改変する上記実施形態は、図４Ａ〜Ｄ、図５Ｂ、および図６に関して詳細に説明されないが、これらの実施形態は、同じまたは同様の様式でそれらにも適用され得ることを、当業者は諒解されよう。
【００６４】
[0085]図５Ｂは、図５Ａのフレーム交換５００ａと同様の、ＡＰ１１０と複数のワイヤレス通信デバイス１２０との間のＣＳＩフィードバックのフレーム交換５００ｂの別の例を示す時間シーケンス図である。フレーム交換５００ａとフレーム交換５００ｂとの間の１つの差は、サウンディングＮＤＰ４０７とサウンディングＮＤＰ４０５とが、図５Ｂではパケット４０８の一部として一緒に示されていることである。一実施形態では、サウンディングＮＤＰ４０７とサウンディングＮＤＰ４０５とは同じパケット４０８の一部である。この実施形態によれば、パケット４０８は、長い追加のフィールドがそれに付加された、能力の第１のセットをもつデバイスの第１のセットによって使用可能な、および能力の第２のセットをもつデバイスの第２のセットによって使用可能なサウンディングＮＤＰであり得る。一実施形態では、パケット４０８は、ロングトレーニングフィールド（ＬＴＦ：long training field）がそれに付加されたＶＨＴ  ＮＤＰであり、ＬＴＦはＨＥデバイスによって使用可能である。別の実施形態では、サウンディングＮＤＰ４０５は、ＶＨＴ  ＮＤＰであるサウンディングＮＤＰ４０７の直後に、およびその間の時間なしに送られるＨＥ  ＮＤＰである。
【００６５】
[0086]図４Ａ〜Ｄおよび図５Ａ〜Ｂに関して上記で説明された実施形態のすべてにおいて、サウンディング告知４０１は、ＰＰＤＵの一部であるＭＡＣフレーム中に含まれていることがある。代替的に、サウンディング告知４０１は、図６に関して説明する実施形態と同様に送信され得る。
【００６６】
[0087]図６は、ＡＰ１１０と複数のワイヤレス通信デバイス１２０との間のＣＳＩフィードバックのフレーム交換６００の別の例を示す時間シーケンス図である。上記で説明されたフレーム交換（４００ａ〜ｄおよび５００ａ〜ｂ）と同様に、フレーム交換６００は、サウンディング告知６０１とサウンディングＮＤＰ６０５とを１つまたは複数のワイヤレス通信デバイス１２０に送信することと、その後、送信４１０Ａおよび４１０Ｂ中で、ワイヤレス通信デバイスからＣＳＩ情報を受信することとを伴う。ただし、図６では、サウンディング告知６０１は、パケット６０４のヘッダの一部であるものとして示されている。いくつかの実施形態では、パケット６０４は、ペイロード６０９をも含んでいることがあるが、他の実施形態では、パケット６０４はペイロード６０９を用いて形成されない。一実施形態では、サウンディング告知６０１は、チャネル推定のための基準シグナリングを含み得、したがって、サウンディングＮＤＰ６０５は送られないことがある。この実施形態によれば、基準シグナリングは複数のＬＴＦであり得る。
【００６７】
[0088]一実施形態では、パケット６０４はＰＰＤＵである。この実施形態によれば、サウンディング告知６０１および（上記で説明されたトリガフレーム４０４と同様の）割振り情報は、ＰＰＤＵの物理レイヤフレーム中に含まれている。いくつかの態様では、サウンディング告知６０１は、上記で説明された実施形態と同様に、サウンディングＮＤＰ６０５がＨＥ  ＮＤＰまたはＶＨＴ  ＮＤＰであることと、サウンディングＮＤＰ６０５を受信するワイヤレス通信デバイス１２０が、ＨＥサウンディングを使用するＣＳＩで応答すべきなのかＶＨＴサウンディングを使用するＣＳＩで応答すべきなのかとを示す。一実施形態では、サウンディング告知６０１と割振り情報とを含んでいる物理レイヤフレームは、８０２．１１  ＰＰＤＵのＳＩＧ−Ｂフィールドである。他の実施形態では、ＰＰＤＵの１つまたは複数フィールドが、パケット６０４を受信するワイヤレス通信デバイス１２０のすべてに共通の情報を含んでいることがあり、ＰＰＤＵの別のフィールドが、個別のワイヤレス通信デバイス１２０の各々のためのパラメータを含んでいることがある。例示的な一実施形態では、８０２．１１  ＰＰＤＵのＳＩＧ−ＡまたはＳＩＧ−Ｂフィールド（またはその両方）が、パケット６０４を受信するワイヤレス通信デバイス１２０のすべてに共通の情報を含んでいることがあり、８０２．１１ＰＰＤＵのＳＩＧ−Ｃフィールドが、個別のワイヤレス通信デバイス１２０の各々のためのパラメータを含んでいることがある。
【００６８】
[0089]図４Ａ〜Ｄ、図５Ａ〜Ｂ、および図６に関して上記で説明された実施形態のすべては、それらの図で説明されたフレーム交換が、ワイヤレス通信デバイス１２０のうちの１つまたは複数についてネゴシエートされた時間において開始するようにスケジュールされ得るようにわずかに改変され得る。これらの改変されたフレーム交換では、ＣＳＩパラメータのすべてがあらかじめネゴシエートされ得るので、サウンディング告知（たとえば、４０１または６０１）が必要とされないことがある。したがって、ＡＰ１１０は、サウンディングＮＤＰ（たとえば、４０５、４０７または６０５）が送られることになる時間を示すことによって、サウンディングプロシージャをワイヤレス通信デバイス１２０のうちの１つまたは複数とネゴシエートし得る。一実施形態では、サウンディングＮＤＰは、ＡＰ１１０のための識別子を含む。サウンディングプロシージャをネゴシエートする際に、ＡＰ１１０はまた、要求されるフィードバックまたはＣＳＩのタイプを示し得、マルチユーザビームフォーミング報告（ＭＵ  ＢＲ）ポールがＡＰ１１０によって送られ得る時間を示し得る。
【００６９】
[0090]このスケジュールされた周期的サウンディングでは、ワイヤレス通信デバイス１２０のうちの１つまたは複数は、サウンディングＮＤＰ（たとえば、４０５、４０７または６０５）を受信し、サウンディングＮＤＰに基づいてからチャネルを推定するために、示された時間において起動し得る。一実施形態では、ワイヤレス通信デバイス１２０は、ＡＰ１１０がＮＤＰの直後にまたはスケジュールされた時間において送り得る、ＡＰ１１０からのＭＵ  ＢＲポールを待ち得る。別の実施形態では、ワイヤレス通信デバイス１２０は、シングルユーザＣＳＩを送るために競合することを許容され得る。いくつかの実施形態では、ＢＲポールはまた、要求されるフィードバックのタイプを示し得る。
【００７０】
[0091]いくつかの態様では、（図４Ａ〜図４Ｄおよび図５Ａ〜Ｂに示されている）サウンディング告知４０１は、１ｘまたは４ｘ  ＰＰＤＵのペイロード中で搬送されたＮＤＰＡであり得る。ＰＰＤＵは、シングルユーザ（ＳＵ）ＰＰＤＵまたはＭＵ（ＭＩＭＯまたはＯＦＤＭＡ）ＰＰＤＵであり得、１つまたは複数のＭＡＣプロトコルデータユニット（ＭＰＤＵ）を含み得、それらのうちの少なくとも１つがＮＤＰＡ  ＭＡＣフレームである。この実施形態では、図４Ｂおよび図５Ｂに関して説明されたアグリゲーションは、アグリゲートＭＰＤＵ（Ａ−ＭＰＤＵ：aggregated MPDU）中のＮＤＰＡ  ＭＡＣフレームを他のＭＡＣフレーム（たとえば、トリガフレーム）とアグリゲートすることによって実現され得る。ＮＤＰＡ  ＭＡＣフレームは、少なくとも、ＣＳＩを推定および報告すべきであるＳＴＡの識別情報と、ＣＳＩのフォーマットのためのパラメータ（帯域、解像度、量子化）とを与え、ＣＳＩの送信のためのパラメータ（ＵＬ−ＭＵ−ＭＩＭＯ／ＯＦＤＭＡリソース割振り、ＭＣＳなど）を含み得る。
【００７１】
[0092]図７Ａは、ＮＤＰＡ  ＭＡＣフレーム７００の例示的なフォーマットの図である。この実施形態では、ＮＤＰＡフレーム７００は、フレーム制御（ＦＣ）フィールド７０５と、持続時間フィールド７１０と、受信機アドレス（ＲＡ）フィールド７１５と、送信機アドレス（ＴＡ）フィールド７２０と、サウンディングダイアログトークンフィールド７２５と、ＳＴＡごとの情報（ｉｎｆｏ）フィールド７３０と、フレーム検査シーケンス（ＦＣＳ）フィールド７５０とを含む。ＦＣフィールド７０５は、制御サブタイプまたは拡張サブタイプを示す。ＦＣフィールド７０５では、プロトコルバージョン、タイプ、およびサブタイプは、８０２．１１ａｃ規格によって定義されたＮＤＰ告知フレームのために定義されたものと同じであり得る。この場合、ＮＤＰＡフレーム７００が、本出願で説明されるようにそれの使用のための変更されたフォーマットを有することを示すために、ＦＣフィールド７０５、持続時間フィールド７１０、ＴＡフィールド７２０、ＲＡフィールド７１５、またはサウンディングダイアログトークンフィールド７２５のうちの１つ中の１つまたは複数のビットが使用され得る。代替的に、ＮＤＰＡフレーム７００が、本出願で説明されるように使用のための特定のフォーマットを有することを示すために、新しいタイプおよび新しいサブタイプが使用され得る。いくつかの態様では、ワイヤレス通信デバイス１２０が、ＵＬ−ＭＵ−ＭＩＭＯ送信、ＵＬ−ＯＦＤＭＡ送信を介して、または８０２．１１ａｃ挙動（すなわち、１つのＳＴＡがＣＳＩを直ちに送り、他のＳＴＡは、ポーリングされるのを待つ）に従って、それらの応答をＮＤＰＡフレーム７００に送るべきかどうかを示すために、サウンディングダイアログトークンフィールド７２５中の２つの予約済みビットが使用され得る。
【００７２】
[0093]持続時間フィールド７１０は、ネットワーク割振りベクトル（ＮＡＶ）を設定するようにＮＤＰＡフレーム７００の任意の受信機に示す。ＲＡフィールド７１５は、フレームの対象受信側であるワイヤレス通信デバイス１２０（またはＳＴＡ）を示す。ＲＡフィールド７１５は、ブロードキャストに設定されるか、ＳＴＡ情報フィールド７３０〜７４０に記載されているＳＴＡを含むマルチキャストグループに設定され得る。タイプまたはサブタイプが新しい値に設定される場合、一実施形態では、タイプ／サブタイプが、宛先がブロードキャストであることを暗黙的に示すので、ＲＡフィールド７１５は省略され得る。ＴＡフィールド７２０は、送信機アドレスまたはＢＳＳ識別子（ＢＳＳＩＤ）を示す。サウンディングダイアログトークンフィールド７２５は、ＳＴＡへの特定のサウンディング告知を示す。
【００７３】
[0094]ＮＤＰＡフレーム７００が、応答がＵＬ−ＭＵ−ＭＩＭＯを使用して送られるべきであることを示す一実施形態では、ＳＴＡ情報フィールド７３０〜７４０に記載されているＳＴＡは、ＵＬ−ＭＵ−ＭＩＭＯを使用することによって応答し得る。この態様では、ストリーム順序付けは、ＳＴＡ情報フィールド７３０〜７４０の同じ順序付けに従い得る。さらに、ＳＴＡの各々のための割り振られるべきストリームの数および電力オフセットは、事前ネゴシエートされ得る。別の態様では、ＳＴＡごとに割り振られるストリームの数は、サウンディングＮＤＰによってサウンディンされたストリームの数に基づき得る。たとえば、ＳＴＡごとのストリームの数は、記載されているすべてのＳＴＡのために利用可能なストリームの最大数で除算されたサウンディングされたストリームの数に等しくなり得る。
【００７４】
[0095]ＮＤＰＡフレーム７００が、応答がＵＬ−ＯＦＤＭＡを使用して送られるべきであることを示す一実施形態では、ＳＴＡ情報フィールド７３０〜７４０に記載されているＳＴＡは、ＵＬ−ＯＦＤＭＡを使用することによって応答し得る。この態様では、チャネル順序付けは、ＳＴＡ情報フィールド７３０〜７４０の同じ順序付けに従い得る。さらに、ＳＴＡの各々のための割り振られるべきチャネルの数および電力オフセットは、事前ネゴシエートされ得る。別の態様では、ＳＴＡごとに割り振られるチャネルの数は、サウンディングＮＤＰによってサウンディンされたチャネルの数に基づき得る。
【００７５】
[0096]ＳＴＡ情報フィールド７３０は、特定のＳＴＡに関する情報を含んでおり、情報のＳＴＡごとの（ワイヤレス通信デバイス１２０ごとの）セットを含み得る（ＳＴＡ情報１  ７３０およびＳＴＡ情報Ｎ  ７４０参照）。ＳＴＡ情報フィールド７３０は、ＳＴＡを識別する割振り識別子（ＡＩＤ）フィールド７３２と、フィードバックタイプフィールド７３４と、Ｎｃインデックスフィールド７３６とを含み得る。ＦＣＳフィールド７５０は、ＮＤＰＡフレーム７００の誤り検出のために使用されるＦＣＳ値を搬送する。いくつかの態様では、ＮＤＰＡフレーム７００はＰＰＤＵ持続時間フィールド（図示せず）をも含み得る。ＰＰＤＵ持続時間フィールドは、ワイヤレス通信デバイス１２０が送ることを許容される後続のＵＬ−ＭＵ−ＭＩＭＯ（またはＵＬ−ＯＦＤＭＡ）ＰＰＤＵの持続時間を示す。他の態様では、ＰＰＤＵ持続時間は、ＡＰ１１０とワイヤレス通信デバイス１２０との間であらかじめ同意され得る。いくつかの実施形態では、ＰＰＤＵ持続時間フィールドは、ワイヤレス通信デバイス１２０が送ることを許容される応答の持続時間を算出するために持続時間フィールド７１０が使用される場合、含まれないことがある。
【００７６】
[0097]いくつかの態様では、サウンディング告知は、変更されたヌルデータパケット告知（ＮＤＰＡ）フレームを備え得る。図７Ｂは、変更されたＭＡＣ  ＮＤＰＡフレーム７０１の例示的なフォーマットの図である。この実施形態では、ＮＤＰＡフレーム７０１は、新しいフィールドを含めるためにＳＴＡ情報フィールド７３０〜７４０が１または２バイトだけ拡張されることを除いて、ＮＤＰＡフレーム７００と同じフィールドを含んでいる。この実施形態では、ＳＴＡ情報フィールド７６０〜７７０は、ＳＴＡが（ＵＬ−ＭＵ−ＭＩＭＯシステムにおいて）使用し得る空間ストリームの数を示す空間ストリーム数フィールド（Ｎｓｓ：number of spatial streams）フィールド７３３と、ＳＴＡがトリガフレームの受信と比較してそれの送信を調整すべきである時間を示す時間調整フィールド７３５と、ＳＴＡが宣言された送信電力から取るべきである電力バックオフを示す電力調整フィールド７３７と、許容送信モードを示すインジケーションフィールド７３８と、ＳＴＡが使用すべきであるＭＣＳまたはＳＴＡが使用すべきであるバックオフを示すＭＣＳフィールド７３９とを含み得る。ＳＴＡ情報フィールド７６０は、ＳＴＡが直ちに応答し得るのか、後でポーリングされるのを待ち得るのかの１ビットインジケーションを含み得る。別の態様では、ＮＤＰＡフレーム７００または７０１は、一定数のＳＴＡが直ちに応答すべきであり、残りのＳＴＡは後でポーリングされるのを待つべきであることを示すフィールドを含み得る。
【００７７】
[0098]いくつかの態様では、ＮＤＰＡフレーム７００はＰＰＤＵ持続時間フィールド（図示せず）をも含み得る。ＰＰＤＵ持続時間フィールドは、ワイヤレス通信デバイス１２０が送ることを許容される後続のＵＬ−ＭＵ−ＭＩＭＯ  ＰＰＤＵの持続時間を示す。他の態様では、ＰＰＤＵ持続時間は、ＡＰ１１０とワイヤレス通信デバイス１２０との間であらかじめ同意され得る。いくつかの実施形態では、ＰＰＤＵ持続時間フィールドは、持続時間フィールド７１０が、ワイヤレス通信デバイス１２０が送ることを許容される応答の持続時間の算出を可能にする値を搬送する場合、含まれないことがある。
【００７８】
[0099]いくつかの態様では、サウンディング告知を備えるＰＰＤＵは、クリアツートランスミット（ＣＴＸ：clear to transmit）フレームをさらに備え得る。図８は、ＣＴＸフレーム８００の例示的なフォーマットの図である。いくつかの実施形態では、ＣＴＸフレーム８００はＭＡＣ  ＮＤＰＡフレームを備え得る。この実施形態では、ＣＴＸフレーム８００は、フレーム制御（ＦＣ）フィールド８０５と、持続時間フィールド８１０と、送信機アドレス（ＴＡ）フィールド８１５と、制御（ＣＴＲＬ）フィールド８２０と、ＰＰＤＵ持続時間フィールド８２５と、ＳＴＡ情報フィールド８３０と、フレーム検査シーケンス（ＦＣＳ）フィールド８５５とを含む。ＦＣフィールド８０５は、制御サブタイプまたは拡張サブタイプを示す。持続時間フィールド８１０は、ネットワーク割振りベクトル（ＮＡＶ）を設定するようにＣＴＸフレーム８００の任意の受信機に示す。ＴＡフィールド８１５は、送信機アドレスまたはＢＳＳＩＤを示す。ＣＴＲＬフィールド８２０は、フレームの残りの部分のフォーマットに関する情報（たとえば、ＳＴＡ情報フィールドの数、およびＳＴＡ情報フィールド内の任意のサブフィールドの存在または不在）と、ワイヤレス通信デバイス１２０についてのレート適応のためのインジケーション（たとえば、ＳＴＡが、ＳＴＡがシングルユーザ（ＳＵ）送信において使用するであろうＭＣＳと比較して、それらのＭＣＳをどのくらい低下させるべきであるかを示す数、または、ＳＴＡが、ＵＬ送信機会（ＴＸＯＰ）においてＭＣＳを算出するときに、ＳＵ送信におけるＭＣＳ算出と比較して考慮すべきである信号対干渉プラス雑音比（ＳＩＮＲ）損失を示す数）と、許容ＴＩＤのインジケーションと、クリアツーセンド（ＣＴＳ：clear to send）メッセージがＣＴＸフレーム８００の直後に送られなければならないというインジケーションとを含み得る、一般フィールドである。ＣＴＲＬフィールド８２０はまた、ＣＴＸフレーム８００がＵＬ−ＭＵ−ＭＩＭＯのために使用されているのか、ＵＬ−ＯＦＤＭＡのために使用されているのか、その両方のために使用されているのかを示し、Ｎｓｓまたはトーン割振りフィールドがＳＴＡ情報フィールド８３０中に存在するかどうかを示し得る。代替的に、ＣＴＸがＵＬ−ＭＵ−ＭＩＭＯのためのものであるのかＵＬ−ＯＦＤＭＡのためのものであるのかのインジケーションは、サブタイプの値に基づき得る。いくつかの態様では、ＵＬ−ＭＵ−ＭＩＭＯ動作とＵＬ−ＯＦＤＭＡ動作とは、使用されるべき空間ストリームと使用されるべきチャネルの両方をＳＴＡに指定することによって一緒に実行され得、その場合、両方のフィールドがＣＴＸ中に存在し、この場合、Ｎｓｓインジケーションは特定のトーン割振りと呼ばれる。ＰＰＤＵ持続時間フィールド８２５は、ワイヤレス通信デバイス１２０が送ることを許容される後続のＵＬ−ＭＵ−ＭＩＭＯ  ＰＰＤＵの持続時間を示す。ＳＴＡ情報フィールド８３０は、特定のＳＴＡに関する情報を含んでおり、情報のＳＴＡごとの（ワイヤレス通信デバイス１２０ごとの）セットを含み得る（ＳＴＡ情報１  ８３０およびＳＴＡ情報Ｎ  ８５０参照）。ＳＴＡ情報フィールド８３０は、ＳＴＡを識別するＡＩＤまたは���ＡＣアドレスフィールド８３２と、ＳＴＡが（ＵＬ−ＭＵ−ＭＩＭＯシステムにおいて）使用し得る空間ストリームの数を示す空間ストリーム数フィールド（Ｎｓｓ）８３４フィールドと、ＳＴＡがトリガフレーム（この場合はＣＴＸ）の受信と比較してそれの送信を調整すべきである時間を示す時間調整フィールド８３６と、ＳＴＡが宣言された送信電力から取るべきである電力バックオフを示す電力調整フィールド８３８と、ＳＴＡが（ＵＬ−ＯＦＤＭＡシステムにおいて）使用し得るトーンまたは周波数を示すトーン割振りフィールド８４０と、許容送信モードを示す許容送信（ＴＸ）モードフィールド８４２と、ＳＴＡが使用すべきであるＭＣＳを示すＭＣＳ８４４フィールドとを含み得る。ＦＣＳフィールド８５５は、ＣＴＸフレーム８００の誤り検出のために使用されるＦＣＳ値を搬送する。
【００７９】
[00100]いくつかの実施形態では、ＰＰＤＵ持続時間フィールド８２５は、持続時間フィールド８１０が、ワイヤレス通信デバイス１２０が送ることを許容される応答の持続時間の算出を可能にする値を搬送する場合、ＣＴＸフレーム８００フレームから省略され得る。他の実施形態では、ＣＴＸフレーム８００は、ＳＴＡが、それのメッセージが同じＣＴＸフレーム８００に応答していることをＡＰ１１０に示すためにそれらの応答において使用し得る、サウンディングシーケンス番号またはトークン番号を含み得る。いくつかの態様では、ＳＴＡ情報フィールド８３０は、ＳＴＡが直ちに応答し得るのか、後でポーリングされるのを待ち得るのかの１ビットインジケーションを含み得る。いくつかの実施形態では、ＦＣフィールド８０５またはＣＴＲＬフィールド８２０は、ＣＴＸフレーム８００がサウンディング告知ＣＴＸフレームである（すなわち、ＣＴＸは、後ろにサウンディングフレーム（ＮＤＰ）が続き、応答を複数のＳＴＡに要求する）ことを示し得る。
【００８０】
[00101]別の実施形態では、ＰＰＤＵのサウンディング告知部分（たとえば、サウンディング告知４０１）は、ＰＨＹヘッダ中の（１つまたは複数の）ＳＩＧフィールドのうちの１つまたは複数中で告知情報を搬送し得る。一例では、ＰＰＤＵはＭＡＣペイロードを搬送しないことがある。別の例では、ＰＰＤＵは、データ、制御または管理情報をもつＭＡＣペイロードを含み得る。
【００８１】
[00102]一例では、サウンディング告知４０１は、送信機ＡＰの識別情報と、ＣＳＩを算出すると考えられるＳＴＡの識別情報と、ＵＬ−ＭＵ−ＭＩＭＯ／ＯＦＤＭＡ  ＣＳＩで応答すると考えられるＳＴＡの識別情報と、対応する送信パラメータとを少なくとも備える、高効率（ＨＥ）ＳＩＧ−Ｂフィールドをもつ８０２．１１ａｘ  ＰＰＤＵのＭＡＣ部分中にあり得る。
【００８２】
[00103]別の例では、サウンディング告知は、ＰＰＤＵのＰＨＹヘッダ中でのみ搬送され、ＵＬリソース割振り情報を備え、応答ＵＬ−ＭＵ−ＭＩＭＯ／ＯＦＤＭＡ  ＰＰＤＵを送るための送信パラメータに関してＳＴＡに命令するが、サウンディング告知情報をＰＨＹヘッダ中に含めない。サウンディング告知情報は、代わりに、ペイロード中のＮＤＰＡ  ＭＡＣフレームによって搬送され得る。したがって、ＰＨＹヘッダ中のシグナリングとＭＡＣペイロード中のシグナリングとの組合せは、図４Ａ〜Ｄ、図５Ａ〜Ｂまたは図６に示されているフレーム交換において、ＳＴＡがＣＳＩを算出し、それを報告するために必要なシグナリングをすべて伝達する。
【００８３】
[00104]いくつかの態様では、サウンディングＮＤＰはＨＥ  ＮＤＰフレームを備え得る。図９は、ＮＤＰ構造の一例の図である。図示の実施形態では、物理レイヤパケット／フレーム９００は、Ｌ−ＳＴＦ９０２と、Ｌ−ＬＴＦ９０４と、Ｌ−ＳＩＧ９０６と、ＨＥ−ＳＩＧ−Ａ９０８と、ＨＥ−ＳＩＧ−Ｂ９１０と、ＨＥ−ＳＴＦ９１２と、ＨＥ−ＬＴＦ９１４〜９１８と、ＨＥ−ＳＩＧ−Ｃ９２０とを含む。当業者は、図示された物理レイヤパケット／フレーム９００が追加のフィールドを含むことができること、フィールドが並べ替えられ、除去され、および／またはリサイズされ得ること、ならびにフィールドの内容が変更され得ることを諒解されよう。たとえば、ＨＥ−ＳＩＧ−Ｃ９２０は、いくつかの実施形態では省略され得る。
【００８４】
[00105]上記で説明された実施形態によれば、ＨＥ−ＳＩＧ−Ａ９０８またはＨＥ−ＳＩＧ−Ｂ９１０は、フレーム９００がＮＤＰであるというインジケーションを含み得る。追加または代替として、ＨＥ−ＬＴＦ９１４〜９１８は、ＡＰによって要求されたＣＳＩを計算するためにＳＴＡによって使用され得る。
【００８５】
[00106]図１０は、本明細書で説明されるいくつかの実施形態による、ワイヤレス通信のための例示的な方法１０００のフローチャートである。いくつかの実施形態では、方法１０００は、図１のＡＰ１１０または図３のワイヤレス通信デバイス３０２など、ワイヤレス通信のための装置によって実行され得る。しかしながら、方法１０００が他の好適なデバイスおよびシステムによって実装され得ることを当業者は諒解されよう。
【００８６】
[00107]動作ブロック１００５において、ワイヤレス通信デバイス３０２は、たとえば、第１のフォーマットまたは第２のフォーマットに従って第１のメッセージの第１の部分を送信する。第１のメッセージの第１の部分は、第１のフォーマットに適合するワイヤレス通信デバイスの第１のセット、または第２のフォーマットに適合するワイヤレス通信デバイスの第２のセットを対象とする第１の情報を含んでいる。第１のメッセージは、チャネル状態情報を（たとえば、１つまたは複数のワイヤレス通信デバイスに）要求する。いくつかの態様では、第１のメッセージの第１の部分は、図１のワイヤレス通信デバイス１２０のうちの１つまたは複数に送信される。いくつかの態様では、第１のフォーマットは超高スループット（ＶＨＴ）フォーマットである。いくつかの態様では、第２のフォーマットは高効率（ＨＥ）フォーマットである。
【００８７】
[00108]動作ブロック１０１０において、ワイヤレス通信デバイス３０２は、たとえば、第２のフォーマットに従って第１のメッセージの第２の部分を送信する。第１のメッセージの第２の部分は、第２に適合するワイヤレス通信デバイスの第２のセットを対象とする第２の情報を含んでいる。図示のように、メッセージの第２の部分は、（たとえば、チャネル状態情報がそれに要求される１つまたは複数のワイヤレス通信デバイスのための）識別子のリスト、チャネル状態情報を推定するためのパラメータのセット、および／または（たとえば、チャネル状態情報がそれに要求される１つまたは複数のワイヤレス通信デバイスのための）アップリンク送信割振り情報のうちの少なくとも１つを備える。様々な態様では、第１のメッセージはＰＰＤＵ中に含まれているサウンディング告知であり、いくつかの態様では、第１のメッセージはＨＥ  ＮＤＰＡである。いくつかの実施形態では、第１のメッセージは、物理レイヤコンバージェンスプロトコルデータユニット（ＰＰＤＵ）のヘッダ中に含まれている。ＰＰＤＵのペイロードは、チャネル状態情報がそれに要求される１つまたは複数のワイヤレス通信デバイスのためのデータを備え得る。他の実施形態では、ＰＰＤＵは、第１のメッセージを備えるＰＨＹヘッダを備え得、ペイロードなしに送られる。いくつかの実施形態では、第１のメッセージは、物理レイヤコンバージェンスプロトコルデータユニット（ＰＰＤＵ）のペイロード中に含まれている。
【００８８】
[00109]いくつかの態様では、第１のメッセージの第２の部分は、チャネル状態情報がそれについて要求されるトーンまたはサブバンドのインジケーションをさらに備える。非限定的な例として、帯域幅全体ではなくサブバンドのＣＳＩを要求することが、ＣＳＩのより正確な推定を行い得る。いくつかの態様では、第１のメッセージの少なくとも一部分は、チャネル状態情報がそれについて要求されるトーンまたはサブバンド上で送信され、他の態様では、チャネル状態情報がそれについて要求されるトーンまたはサブバンドは、第１のメッセージ中で明確に識別される。一実施形態では、チャネル状態情報がそれについて要求されるトーンまたはサブバンドは、アップリンク送信のための１つまたは複数のワイヤレス通信デバイスに割り振られたトーンまたはサブバンドと同じである。
【００８９】
[00110]いくつかの態様では、第１のメッセージ（たとえば、第２の部分）は、サウンディングフレームが第１のメッセージの送信の後に送信されることになるという第１のインジケーション、マルチユーザサウンディングが要求されるという第２のインジケーション、または予約済みフィールドに対応する割振り識別子（ＡＩＤ）のうちの少なくとも１つをさらに備え得る。非限定的な例として、この追加のデータの１つの利点は、それが、ワイヤレス通信デバイスがレガシーまたはＶＨＴフォーマットに従ってシングルユーザＣＳＩを直ちに送信することを防ぐために使用され得ることである。いくつかの態様では、第１のメッセージは、追加または代替として、チャネル状態情報がそれに要求される１つまたは複数のワイヤレス通信デバイスのためのデータ、または管理情報を備え得る。非限定的な例として、このフォーマットは、ＡＰおよび複数のＳＴＡが、エンティティ間でデータ／ＡＣＫとＣＳＩ要求／応答とを送るために必要とされる全体的な時間を減らすことを可能にし得る。
【００９０】
[00111]オプションの動作ブロック１０１５において、ワイヤレス通信デバイス３０２は、たとえば、チャネル状態情報を決定するために（たとえば、１つまたは複数のワイヤレス通信デバイスによって）使用可能である第３の情報を含んでいる第２のメッセージを（たとえば、１つまたは複数のワイヤレス通信デバイスに）送信する。様々な態様では、第１のメッセージはサウンディングフレーム告知メッセージであり、第２のメッセージはサウンディングフレーム（たとえば、ＮＤＰ）である。いくつかの態様では、第２のメッセージは、サウンディングフレームがワイヤレス通信デバイスの第２のセットを対象とするという第１のインジケーション、および／またはマルチユーザチャネル状態情報が要求されるという第２のインジケーションをさらに備える。一実施形態では、第３の情報は、チャネル状態情報を決定するために使用可能な複数のロングトレーニングフィールドを備える。いくつかの態様では、サウンディングフレーム告知メッセージは高効率ヌルデータパケット告知（ＨＥ−ＮＤＰＡ）であり、サウンディングフレームは高効率ヌルデータパケット（ＨＥ−ＮＤＰ）である。いくつかの態様では、第２のメッセージは、要求されたチャネル状態情報を決定するために使用される複数のロングトレーニングフィールドを備える。様々な態様では、第２のメッセージは、第１のメッセージからショートフレーム間スペース（ＳＩＦＳ）後に送信される。いくつかの態様では、動作ブロック１０１５は方法１０００の一部でない。
【００９１】
[00112]（破線によって示される）オプションの動作ブロック１０２０において、ワイヤレス通信デバイス３０２は、たとえば、２つまたはそれ以上のトーンまたはサブバンドを介して（たとえば、チャネル状態情報がそれに要求される１つまたは複数のワイヤレス通信デバイスから）チャネル状態情報を受信する。様々な態様では、チャネル状態情報は、アップリンクマルチユーザ物理レイヤコンバージェンスプロトコルデータユニット（ＵＬ−ＭＵ−ＰＰＤＵ）中で受信される。一実施形態では、ＵＬ−ＭＵ−ＰＰＤＵは、チャネル状態情報がそれに要求される１つまたは複数のワイヤレス通信デバイスに前に送信された情報のブロック確認応答をさらに備える。いくつかの実施形態では、チャネル状態情報（たとえば、ＵＬ−ＭＵ−ＰＰＤＵ）は、多入力多出力（ＭＩＭＯ）プロトコルまたは周波数分割多元接続（ＦＤＭＡ）プロトコルに従って受信される。非限定的な例として、複数のトーンまたはサブバンド上でＭＵ  ＣＳＩ情報を同時に送信することは、すべてのＳＴＡがＣＳＩをＡＰに与えるために必要とされる全体的な送信時間を節約し得る。いくつかの態様では、ＵＬ送信は、チャネル状態情報がそれに要求される１つまたは複数のワイヤレス通信デバイスに前に送信された情報のブロック確認応答をさらに備え得る。いくつかの態様では、動作ブロック１０２０は方法１０００の一部でない。
【００９２】
[00113]いくつかの態様では、方法１０００は、追加または代替として、ワイヤレス通信デバイス３０２によって、１つまたは複数の他のワイヤレス通信デバイス３０２に、たとえば、チャネル状態情報を決定するために使用され得る第３の情報を含んでいる第２のメッセージを送信することを備え得る。方法１０００は、追加または代替として、ワイヤレス通信デバイス３０２によって、たとえば、第１のワイヤレス通信デバイスからチャネル状態情報を受信することを備え得る。方法１０００は、追加または代替として、ワイヤレス通信デバイス３０２によって、たとえば、チャネル状態情報を受信した後に、チャネル状態情報を送信するように第２のワイヤレス通信デバイスをトリガするためにビームフォーミング報告ポールフレームを送信することを備え得る。さらに、方法１０００は、追加または代替として、ワイヤレス通信デバイス３０２によって、たとえば、第２のワイヤレス通信デバイスからチャネル状態情報を受信することを備え得る。
【００９３】
[00114]図１１Ａは、一実施形態による、例示的なチャネルサウンディングシーケンス１１００を示す。いくつかの態様では、チャネルサウンディングシーケンス１１００は、１つまたは複数のＶＨＴまたはＨＥワイヤレスデバイスからチャネルサウンディング情報を取得するために利用され得る。これらのＶＨＴまたはＨＥワイヤレスデバイスは、図３のワイヤレス通信デバイス３０２と同様であり得る。いくつかの態様では、ＨＥデバイスはＶＨＴプロトコルに従って通信することが可能であり得るが、ＶＨＴデバイスはＨＥプロトコルに従って通信することが可能でないことがある。したがって、チャネルサウンディングシーケンス１１００は、両方のタイプのデバイスと通信するために利用され得る。
【００９４】
[00115]図示のように、チャネルサウンディングシーケンス１１００は、サウンディング告知１１０５の送信を備え得る。サウンディング告知１１０５は、ＡＰ１１０によって（「（１つまたは複数の）ＳＴＡ」として示されている）１つまたは複数のＵＴ１２０に送信され得る。いくつかの態様では、サウンディング告知１１０５は、図７Ａのフォーマット７００、図７Ｂのフォーマット７０１、または図１３のフォーマット１３００に従って送信されるＮＤＰＡであり得る。サウンディング告知１１０５を送信した後に、ＡＰ１１０はＶＨＴ  ＮＤＰ１１１０を送信し得る。一実施形態では、ＶＨＴ  ＮＤＰ１１１０は、サウンディング告知１１０５の送信からＳＩＦＳ後に送信され得る。上記で説明されたように、ＶＨＴ  ＮＤＰフレーム１１１０は、ＳＴＡが、送信機の１つまたは複数のアンテナとＵＴの１つまたは複数のアンテナとの間のチャネルを推定することを可能にする基準信号を与えることができ、８０２．１１ａｘ  ＮＤＰフレーム、８０２．１１ａｃ  ＮＤＰフレーム、８０２．１１ｎ  ＮＤＰフレーム、８０２．１１ａｈ  ＮＤＰフレーム、または他の８０２．１１ベースのＮＤＰフレームであり得る。様々な態様では、ＶＨＴ  ＮＤＰ１１１０は、図９に関して上記で説明されたＮＤＰフレームフォーマット９００を備え得る。いくつかの態様では、ＨＥまたはＶＨＴデバイスがＶＨＴ  ＮＤＰ１１１０を受信するとき、ＣＳＩ（または他のフィードバック）がＶＨＴ仕様に従って算出され得る。
【００９５】
[00116]ＶＨＴ  ＮＤＰ１１１０を送信した後に、ＡＰ１１０はトリガフレーム１１１５を送信し得る。一実施形態では、トリガフレーム１１１５は、ＶＨＴ  ＮＤＰ１１１０の送信からＳＩＦＳまたはバックオフ（ＢＯ）期間後に送信され得る。いくつかの態様では、トリガフレームは、図８のフォーマット８００または図１４のフォーマット１４００に従って送信され得る。様々な態様では、トリガフレーム１１１５は、特定のＵＴ１２０が送信を開始することを知るように、どのＵＴ１２０がチャネルサウンディングシーケンス１１００に参加すべきであるかを示し得る。たとえば、図示のように、１つまたは複数のＵＴ１２０がＭＵ  ＣＳＩ１１２０を送信し得る。一実施形態では、ＭＵ  ＣＳＩ１１２０は、トリガフレーム１１１５の送信からＳＩＦＳ後に送信され得る。様々な態様では、ＭＵ  ＣＳＩ１１２０は、情報を送信するＵＴ１２０のうちの１つまたは複数によって決定された、要求されたＣＳＩを備え得る。
【００９６】
[00117]ＭＵ  ＣＳＩ１１２０の送信の後に、ＡＰ１１０はビームフォーミング報告（ＢＲ）ポール１１２５を送信し得る。一実施形態では、ＢＲポール１１２５は、ＭＵ  ＣＳＩ１１２０の送信からＳＩＦＳまたはＢＯ後に送信され得る。一実施形態では、ＢＲポール１１２５は、８０２．１１ａｃにおいて定義されているＶＨＴデバイスのためのＢＲポールフレームと同様であり得る。いくつかの態様では、ＢＲポールは、シングルＶＨＴ  ＵＴ１２０がＡＰ１１０にＣＳＩを与えることを可能にするために送信され得る。たとえば、図示のように、ＳＵ  ＣＳＩ１１３０が、ＢＲポール１１２５の送信からＳＩＦＳ後にＶＨＴ  ＵＴ１２０によって送信され得る。様々な態様では、ＳＵ  ＣＳＩ１１３０は、情報を送信するＵＴ１２０によって決定された、要求されたＣＳＩを備え得る。チャネルサウンディングシーケンス１１００の一部として、ＡＰ１１０は、それが、要求されたＣＳＩ情報のすべてを受信するまで、トリガフレーム１１１５またはＢＲポール１１２５を送信し続け得る。一態様では、要求されたＣＳＩ情報は、サウンディング告知１１０５を介して要求されたＣＳＩを指すことがある。一実施形態では、すべての要求されたＣＳＩ（またはそれの少なくとも一部分）は、ＶＨＴ  ＮＤＰ１１１０に少なくとも部分的に基づいて決定され得る。いくつかの態様では、ＣＳＩをＡＰ１１０に送信するためにＵＴ１２０によって使用されるパラメータは、サウンディング告知１１０５、トリガフレーム１１１５、またはＢＲポール１１２５のうちの１つまたは複数中で受信された情報に基づき得る。一態様では、ＣＳＩは、８０２．１１ａｃ仕様に従って送信され得る。
【００９７】
[00118]図１１Ｂは、一実施形態による、例示的なチャネルサウンディングシーケンス１１５０を示す。チャネルサウンディングシーケンス１１５０は、それがＣＳＩをＶＨＴおよびＨＥ  ＵＴ１２０に要求し得るので、図１１Ａのチャネルサウンディングシーケンス１１００と同様であり得る。ただし、図示のように、最初のトリガフレーム１１１５がＣＳＩの第１の送信の前に送られないことがある。これは、サウンディング告知１１０５が、ＵＴ１２０がＶＨＴ  ＮＤＰ１１１０の送信の終了の直後に（たとえば、送信の終了からＳＩＦＳ後に）ＣＳＩを送信すべきであることを示し得るので、発生することがある。たとえば、図示のように、ＳＵ  ＣＳＩ１１４０が、ＵＴ１２０によってＶＨＴ  ＮＤＰ１１１０の送信の後に送信され得る。一態様では、ＳＵ  ＣＳＩ１１４０は、ＵＴ１２０が直ちにＣＳＩで返答すべきであることを示すサウンディング告知１１０５中で与えられた情報に応答して、送信され得る。ＳＵ  ＣＳＩ１１４０が送信された後、すべての要求されたＣＳＩが受信されるまで、ＡＰ１１０は、トリガフレーム１１１５またはＢＲポール１１２５（図示せず）を送信し続け得、ＵＴはＣＳＩ（たとえば、図示されたＭＵ  ＣＳＩ１１２０）を送信し続け得る。一実施形態では、すべての要求されたＣＳＩが要求されると、ＡＰ１１０は、別のチャネルサウンディングシーケンス（たとえば、チャネルサウンディングシーケンス１１００または１１５０）を行い得る。
【００９８】
[00119] 図１２Ａは、一実施形態による、例示的なチャネルサウンディングシーケンス１２００を示す。いくつかの態様では、チャネルサウンディングシーケンス１２００は、１つまたは複数のＨＥワイヤレスデバイスからチャネルサウンディング情報を取得するために利用され得る。これらのＨＥワイヤレスデバイスは、図３のワイヤレス通信デバイス３０２と同様であり得る。
【００９９】
[00120]図示のように、チャネルサウンディングシーケンス１２００は、ＨＥサウンディング告知１２０５の送信を備え得る。ＨＥサウンディング告知１２０５は、ＡＰ１１０によって（「（１つまたは複数の）ＳＴＡ」として示されている）１つまたは複数のＵＴ１２０に送信され得る。いくつかの態様では、ＨＥサウンディング告知１２０５は、図７Ａのフォーマット７００、図７Ｂのフォーマット７０１、または図１３のフォーマット１３００に従って送信されるＮＤＰＡであり得る。ＨＥサウンディング告知１２０５を送信した後に、ＡＰ１１０はＨＥ  ＮＤＰ１２１０を送信し得る。一実施形態では、ＨＥ  ＮＤＰ１２１０は、サウンディング告知１２０５の送信からＳＩＦＳ後に送信され得る。上述のように、ＨＥ  ＮＤＰ１２１０フレームは、ＵＴ１２０が、送信機の１つまたは複数のアンテナとＵＴ１２０の１つまたは複数のアンテナとの間のチャネルを推定することを可能にする基準信号を与えることができ、様々なフォーマットをとり得る。いくつかの態様では、ＨＥデバイスがＨＥ  ＮＤＰ１２１０を受信するとき、ＣＳＩ（または他のフィードバック）がＨＥ仕様に従って算出され得る。
【０１００】
[00121]ＨＥ  ＮＤＰ１２１０を送信した後に、ＡＰ１１０はトリガフレーム１２１５を送信し得る。一実施形態では、トリガフレーム１２１５は、ＨＥ  ＮＤＰ１２１０の送信からＳＩＦＳ後にまたはＨＥ  ＮＤＰ１２１０の送信の後の別のＴＸＯＰ中で送信され得る。いくつかの態様では、トリガフレーム１２１５は、図８のフォーマット８００または図１４のフォーマット１４００に従って送信され得る。様々な態様では、トリガフレーム１２１５は、特定のＵＴ１２０が送信を開始することを知るように、どのＵＴ１２０がチャネルサウンディングシーケンス１２００に参加すべきであるかを示し得る。たとえば、図示のように、１つまたは複数のＨＥ  ＵＴ１２０がＭＵ  ＣＳＩ１２２０を送信し得る。一実施形態では、ＭＵ  ＣＳＩ１２２０は、トリガフレーム１２１５の送信からＳＩＦＳ後に送信され得る。様々な態様では、ＭＵ  ＣＳＩ１２２０は、情報を送信するＵＴ１２０のうちの１つまたは複数によって決定された、要求されたＣＳＩを備え得る。
【０１０１】
[00122]ＭＵ  ＣＳＩ１２２０の送信の後に、ＡＰ１１０は別のトリガフレーム１２１５を送信し得、ＵＴ１２０のうちの１つまたは複数は、トリガフレーム１２１５の送信からＳＩＦＳ後にＭＵ  ＣＳＩ１２２０で返答し得る。一実施形態では、ＳＵ  ＣＳＩが代わりに送信され得る。チャネルサウンディングシーケンス１２００の一部として、ＡＰ１１０は、それが、要求されたＣＳＩ情報のすべてを受信するまで、トリガフレーム１２１５を送信し続け得る。一態様では、要求されたＣＳＩ情報は、サウンディング告知１２０５を介して要求されたＣＳＩを指すことがある。一実施形態では、すべての要求されたＣＳＩ（またはそれの少なくとも一部分）は、ＨＥ  ＮＤＰ１２１０に少なくとも部分的に基づいて決定され得る。いくつかの態様では、ＣＳＩをＡＰ１１０に送信するためにＵＴ１２０によって使用されるパラメータは、サウンディング告知１２０５、トリガフレーム１２１５、またはその両方中で受信された情報に基づき得る。
【０１０２】
[00123]図１２Ｂは、一実施形態による、例示的なチャネルサウンディングシーケンス１２５０を示す。チャネルサウンディングシーケンス１２５０は、それがＣＳＩをＨＥ  ＵＴ１２０のみに要求し得るので、図１２Ａのチャネルサウンディングシーケンス１２００と同様であり得る。ただし、図示のように、最初のトリガフレーム１２１５がＣＳＩの第１の送信の前に送られないことがある。これは、サウンディング告知１２０５が、ＵＴ１２０がＨＥ  ＮＤＰ１２１０の送信の終了の直後に（たとえば、送信の終了からＳＩＦＳ後に）ＣＳＩを送信すべきであることを示し得るので、発生することがある。たとえば、図示のように、ＳＵ  ＣＳＩ１２３０が、ＵＴ１２０によってＨＥ  ＮＤＰ１２１０の送信の後に送信され得る。一態様では、ＳＵ  ＣＳＩ１２３０は、ＵＴ１２０が直ちにＣＳＩで返答すべきであることを示すサウンディング告知１２０５中で与えられた情報に応答して、送信され得る。ＳＵ  ＣＳＩ１２３０が送信された後、すべての要求されたＣＳＩが受信されるまで、ＡＰ１１０はトリガフレーム１２１５を送信し続け得、ＵＴはＭＵまたはＳＵ  ＣＳＩ１２４０を送信し続け得る。ＳＵ  ＣＳＩが要求されるとき、トリガフレーム１２１５は、ＣＳＩが１つのＵＴ１２０について要求されるにすぎないことを示し得る。一実施形態では、すべての要求されたＣＳＩが要求されると、ＡＰ１１０は、別のチャネルサウンディングシーケンス（たとえば、チャネルサウンディングシーケンス１２００または１２５０）を行い得る。一実施形態では、ＡＰ１１０は、図１１ＡのＢＲポール１１２５と同様であり得る、ＨＥ  ＵＴ１２０からＳＵ  ＣＳＩを取得するためのＢＲポール（図示せず）を送信するように構成され得る。いくつかの態様では、ＡＰ１１０は、チャネルサウンディングシーケンス１１００、１１５０、１２００、または１２５０の何らかの組合せを実行するように構成され得る。
【０１０３】
[00124]図１３は、一実施形態による、ＨＥ  ＮＤＰＡフレームフォーマット１３００の一例である。図示のように、ＨＥ  ＮＤＰＡ１３００は、ＦＣフィールド１３０５と、持続時間フィールド１３１０と、ＲＡフィールド１３１５と、ＴＡフィールド１３２０と、共通情報フィールド１３２５と、ＳＴＡ情報フィールド１３３０〜１３６０と、ＦＣＳフィールド１３６５とを備え得る。別段に記載されていない限り、ＨＥ  ＮＤＰＡ１３００のこれらのフィールドは、図７ＡのＮＤＰＡフレーム７００または図７ＢのＮＤＰＡフレーム７０１の対応するフィールドと同様であり得る。いくつかの態様では、各ＳＴＡ情報フィールド１３３０〜１３６０は、ＡＩＤフィールド１３３２と、Ｎｇフィールド１３３４と、フィードバックタイプＡフィールド１３３６と、フィードバックタイプＢフィールド１３３８と、Ｎｃインデックスフィールド１３４０と、算出チャネルフィールド１３４２と、報告チャネルフィールド１３４４と、応答タイミングフィールド１３４６とを備え得る。
【０１０４】
[00125]ＡＩＤフィールド１３３２は、特定のＳＴＡ情報フィールド１３３０〜１３６０の情報がどのＳＴＡに属するかを示すために利用され得る。様々な態様では、ＡＩＤフィールド１３３２は、長さが１２ビットであり得る。上述のように、ＨＥ  ＮＤＰＡ１３００は、ＨＥデバイスとＶＨＴデバイスの両方に送信するために利用され得る。いくつかの態様では、ＶＨＴデバイスは、有効なＡＩＤが、ＡＩＤフィールド１３３２の第１２のビット（たとえば、ビット１１としてインデックス付けされるビット）中に「０」を常に備えることになることを予想し得る。したがって、一実施形態では、第１２のビットが、ＡＩＤがＨＥデバイスに対応することを示すために「１」に設定され得、そのとき、ＶＨＴデバイスは、このように送信されたＡＩＤを適切に復号しないことがある。いくつかの態様では、ＶＨＴデバイスは、各ＳＴＡ情報フィールド１３３０〜１３６０が長さが２バイトのみであることを予想し得る。しかしながら、ＨＥデバイスは、２バイトよりも長いＳＴＡ情報フィールド１３３０〜１３６０中で情報を受信することが可能であり得る。したがって、ＨＥデバイスとＶＨＴデバイスの両方に送信するときの混乱を回避するために、ＨＥデバイスのためのすべての情報フィールドが、ＶＨＴデバイスのための情報フィールドの後に配置され得る。代替的に、ＶＨＴデバイスのための情報フィールドのすべてが、ＨＥデバイスの情報フィールドの後に配置され得る。
【０１０５】
[00126]Ｎｇフィールド１３３４は、フィードバック（たとえば、ＣＳＩ）がそれについて返送されるトーンの数に関してチャネルフィードバックの品質を示し得る。Ｎｇフィールド１３３４値は、８０２．１１ａｃなど、８０２．１１規格と同様に定義され得る。いくつかの態様では、追加または代替の値が利用され得る。いくつかの態様では、Ｎｇフィールド１３３４値は、最小値または最大値を示し得、情報を受信するＳＴＡが、示された範囲内に入るトーンの数を使用することを許容され得る。フィードバックタイプＡフィールド１３３６は、フィードバックがＳＵ送信フォーマットに従ってフォーマットされるべきであるのかＭＵ送信フォーマットに従ってフォーマットされるべきであるのかを示し得る。フィードバックタイプＢフィールド１３３８は、フィードバックがＣＳＩ（たとえば、周波数にわたる位相および振幅の量子化）を備えるべきであるのかチャネル品質情報（ＣＱＩ：Channel Quality Information）（たとえば、周波数にわたるチャネル振幅の粗いインジケーション）を備えるべきであるのかを示し得る。Ｎｃインデックスフィールド１３４０は、フィードバックがそれについて要求される、空間ストリームの数を示し得る。
【０１０６】
[00127]算出チャネルフィールド１３４２は、ＳＴＡがフィードバックをそれについて算出すべきであるチャネルの部分を示し得る。いくつかの態様では、ＡＰは、フィードバックがそれについて算出されたチャネルの部分全体、またはそれのサブセットのみについての情報を要求し得る。したがって、報告チャネルフィールド１３４４は、ＳＴＡがフィードバックをそれについて報告すべきであるチャネルの部分のインジケーションを備え得る。応答タイミングフィールド１３４６は、ＳＴＡがフィードバックを直ちに送信すべきであるかどうか、または遅延させるべきかどうかのインジケーションを備え得る。たとえば、ＳＴＡは、（図１１Ｂおよび図１２Ｂに示されているように）ＮＤＰを受信した後にＳＵフォーマットでＣＳＩを直ちに送信するように要求され得る。
【０１０７】
[00128]いくつかの態様では、各ＳＴＡ情報フィールド１３３０〜１３６０中に示されているフィールドのうちのいくつかが、すべてのＳＴＡに共通であり得る。したがって、いくつかの態様では、共通情報フィールド１３２５は、追加または代替として、各ＳＴＡ情報フィールド１３３０〜１３６０の一部であるものとして示されている情報の一部を示し得る。
【０１０８】
[00129]図１４は、一実施形態による、例示的なトリガフレームフォーマット１４００の図である。図示のように、トリガフレーム１４００は、ＦＣフィールド１４０５と、持続時間フィールド１４１０と、（「Ａ１」として示されている）ＲＡフィールド１４１５と、（「Ａ２」として示されている）ＴＡフィールド１４２０と、共通情報フィールド１４２５と、局情報フィールド１４３０〜１４５０と、ＦＣＳフィールド１４５５とを備え得る。いくつかの態様では、ＲＡフィールド１４１５は、随意であり得、含まれないことがある。別段に記載されていない限り、トリガフレーム１４００のこれらのフィールドは、図８のフレーム８００の対応するフィールドと同様であり得る。いくつかの態様では、共通情報フィールド１４２５は、すべてのＳＴＡについて共通である、送信またはフィードバック情報を備え得る。いくつかの態様では、局情報フィールド１４３０〜１４５０は、局（たとえば、本明細書で説明されるように、それのＡＩＤまたはＭＡＣアドレスによって示される局）に固有である、送信またはフィードバック情報を備え得る。たとえば、共通情報フィールド１４２５または局情報フィールド１４３０〜１４５０の両方のうちの１つが、ＣＳＩ応答のみが許容されるというインジケーション、応答する必要がある各ＳＴＡを識別する１１または１２ビットＡＩＤ、（上記で説明されたものと同様の）Ｎｇインジケーション、フィードバックがＳＵビームフォーミングに従ってフォーマットされるべきであるのかＭＵビームフォーミングに従ってフォーマットされるべきであるのかのインジケーション、ＨＥフィードバックが送信されるべきであるのかＶＨＴフィードバックが送信されるべきであるのかのインジケーション、ＣＳＩが送信されるべきであるのかＣＱＩが送信されるべきであるのかのインジケーション、ＳＴＡがフィードバックをそれについて報告すべきであるチャネルの部分のインジケーション、および／あるいはフィードバックがそれについて要求されるサウンディングシーケンス中のＮＤＰＡのダイアログトークンに一致させるためのダイアログトークンを備えることができる。この情報は、様々な別個のフィールド中に含められ得、情報の一部は、フィールドのうちのいくつか内に組み合わせられ得る。
【０１０９】
[00130]図１５は、本明細書で説明されるいくつかの実施形態による、ワイヤレス通信のための例示的な方法１５００のフローチャートである。一態様では、方法１５００は、図１のＡＰ１１０または図３のワイヤレス通信デバイス３０２によって実行され得る。
【０１１０】
[00131]動作ブロック１５０５において、ワイヤレス通信デバイス３０２は、たとえば、第１のフォーマットまたは第２のフォーマットに従って第１のメッセージの第１の部分を送信し得、第１のメッセージの第１の部分は、第１のフォーマットに適合するワイヤレス通信デバイスの第１のセット、または第２のフォーマットに適合するワイヤレス通信デバイスの第２のセットを対象とする第１の情報を含んでおり、第１のメッセージは、ワイヤレス通信媒体のチャネルフィードバック情報が要求されることを告知する。いくつかの態様では、第１のフォーマットは高効率（ＨＥ）フォーマットを備え、第２のフォーマットは超高スループット（ＶＨＴ）フォーマットを備える。いくつかの態様では、ワイヤレス通信デバイスの第１のセットのためのチャネルフィードバック推定のための第１のパラメータは、ワイヤレス通信デバイスの第２のセットのためのチャネルフィードバック情報推定のための第２のパラメータの後に送信される。いくつかの実施形態では、ワイヤレス通信デバイスの第１のセットのための識別子は、ワイヤレス通信デバイスの第２のセットが識別子が無効（invalid）であると決定するように、改変される。
【０１１１】
[00132]動作ブロック１５１０において、ワイヤレス通信デバイス３０２は、たとえば、第２のフォーマットに従って第１のメッセージの第２の部分を送信し得、第１のメッセージの第２の部分は、第２のフォーマットに適合するワイヤレス通信デバイスの第２のセットを対象とする第２の情報を含んでおり、第１のメッセージの第２の部分は、チャネルフィードバック情報がそれについて要求されるトーンまたは空間ストリームの数のインジケーションを備える。いくつかの態様では、第１のメッセージ（たとえば、第２の部分）は、チャネルフィードバック情報が、シングルユーザアップリンクパケット中で送信されるべきであるのかマルチユーザアップリンクパケット中で送信されるべきであるのかのインジケーション、またはチャネルフィードバック情報が、チャネル状態情報を備えるのかチャネル品質情報を備えるのかのインジケーションをさらに備え得る。追加または代替として、いくつかの態様では、第１のメッセージ（たとえば、第２の部分）は、チャネルフィードバック情報がそれについて計算されるべきであるワイヤレス通信媒体の一部分のインジケーション、またはチャネルフィードバック情報がそれについて送信されるべきであるワイヤレス通信媒体のサブ部分のインジケーションをさらに備え得る。
【０１１２】
[00133]追加または代替として、方法１５００の一部として、ワイヤレス通信デバイス３０２は、たとえば、チャネルフィードバック情報を決定するために使用可能であるヌルデータパケットを送信し得る。いくつかの態様では、第１のメッセージの第２の部分は、１つまたは複数のワイヤレス通信デバイスがチャネルフィードバック情報を直ちに送信すべきであるというインジケーションをさらに備える。方法１５００は、ヌルデータパケットを送信した後に、ショートフレーム間スペース（ＳＩＦＳ）内でチャネルフィードバック情報を受信することをさらに備え得る。
【０１１３】
[00134]一実施形態では、トリガフレームの一部として、ワイヤレス通信デバイス３０２は、たとえば、１つまたは複数のワイヤレス通信デバイスの各々についてのトーンまたはサブバンド割振り情報を送信し得る。一実施形態では、サブバンド割振り情報は、１つまたは複数のワイヤレス通信デバイスの各々についての割振り識別子（ＡＩＤ）のインジケーションと、チャネルフィードバック情報が、シングルユーザアップリンクパケット中で送信されるべきであるのかマルチユーザアップリンクパケット中で送信されるべきであるのかのインジケーションと、高効率（ＨＥ）フィードバックが要求されるのか超高スループット（ＶＨＴ）フィードバックが要求されるのかのインジケーションと、第１のメッセージに一致するダイアログトークンとのうちの１つまたは複数を備え得る。
【０１１４】
[00135]いくつかの実施形態では、方法１０００、方法１５００、または同様の方法を実行する装置が、本明細書で説明されるメッセージまたはフレームを生成するための様々な手段と、メッセージまたはフレームを送信するための様々な手段とを備える。いくつかの態様では、本装置は、受信するための様々な手段、推定するための手段、または割り振るための手段のうちの１つまたは複数をさらに備え得る。様々な実施形態では、生成するための様々な手段、推定するための手段、または割り振るための手段は、図２のコントローラ２３０、ＴＸデータプロセッサ２１０、データソース２０８、データシンク２４４、メモリ２３２、スケジューラ２３４、チャネル推定器２２８、ＴＸ空間プロセッサ２２０、ＲＸ空間プロセッサ２４０、または受信機／送信機ユニット２２２ａ〜ａｐ、図３のプロセッサ３０４、メモリ３０６、ＤＳＰ３２０、またはバスシステム３２２、あるいはそれらの等価物のうちの１つまたは複数を備え得る。様々な実施形態では、送信するための様々な手段は、図２のコントローラ２３０、データシンク２４４、ＴＸデータプロセッサ２１０、データソース２０８、メモリ２３２、スケジューラ２３４、ＴＸ空間プロセッサ２２０、受信機／送信機ユニット２２２ａ〜ａｐ、またはアンテナ２２４ａ〜ａｐ、図３のプロセッサ３０４、メモリ３０６、ＤＳＰ３２０、バスシステム３２２、送信機３１０、トランシーバ３１４、またはアンテナ３１６、あるいはそれらの等価物のうちの１つまたは複数を備え得る。様々な実施形態では、受信するための様々な手段は、図２のコントローラ２３０、データシンク２４４、ＲＸデータプロセッサ２４２、データソース２０８、メモリ２３２、スケジューラ２３４、ＲＸ空間プロセッサ２４０、受信機／送信機ユニット２２２ａ〜ａｐ、またはアンテナ２２４ａ〜ａｐ、図３のプロセッサ３０４、メモリ３０６、ＤＳＰ３２０、バスシステム３２２、受信機３１２、トランシーバ３１４、またはアンテナ３１６、あるいはそれらの等価物のうちの１つまたは複数を備え得る。
【０１１５】
[00136]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１６】
[00137]本開示で説明された実装形態への様々な修正は当業者には容易に明らかであり得、本明細書で定義された一般原理は、本開示の趣旨または範囲から逸脱することなく他の実装形態に適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明されたいかなる実装形態も、必ずしも他の実装形態よりも好ましいまたは有利であると解釈されるべきであるとは限らない。
【０１１７】
[00138]本明細書で使用される、項目のリスト「のうちの少なくとも１つ」を指す句は、単一のメンバーを含む、それらの項目の任意の組合せを指す。一例として、「Ａ、ＢまたはＣのうちの少なくとも１つ」は、Ａ、またはＢ、またはＣ、またはＡおよびＢ、またはＡおよびＣ、またはＢおよびＣ、またはＡ、ＢおよびＣ、または２Ａ、または２Ｂ、または２Ｃなどを包含するものとする。
【０１１８】
[00139]また、別個の実装形態に関して本明細書で説明された、いくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１１９】
[00140]上記で説明された方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されたどの動作も、その動作を実行することが可能な対応する機能的手段によって実行され得る。
【０１２０】
[00141]本明細書で使用されるインターフェースという用語は、２つまたはそれ以上のデバイスを一緒に接続するように構成されたハードウェアまたはソフトウェアを指すことがある。たとえば、インターフェースは、プロセッサまたはバスの一部であり得、デバイス間での情報またはデータの通信を可能にするように構成され得る。インターフェースは、チップまたは他のデバイスに組み込まれ得る。たとえば、いくつかの態様では、インターフェースは、あるデバイスからの情報または通信を別のデバイスにおいて受信するように構成された受信機を備え得る。（たとえば、プロセッサまたはバスの）インターフェースは、フロントエンドデバイスまたは別のデバイスによって処理される情報またはデータを受信し得、あるいは受信された情報を処理し得る。いくつかの態様では、インターフェースは、情報またはデータを別のデバイスに送信または通信するように構成された送信機を備え得る。したがって、インターフェースは、情報またはデータを送信し得るか、あるいは（たとえば、バスを介した）送信のために出力するために情報またはデータを準備し得る。
【０１２１】
[00142]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２２】
[00143]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【０１２３】
[00144]本明細書で開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１２４】
[00145]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明された方法および技法をデバイスに与えるための任意の他の好適な技法が利用され得る。
【０１２５】
[00146]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
[Ｃ１]  ワイヤレスネットワークにおける通信の方法であって、前記方法は、
第１のフォーマットまたは第２のフォーマットに従って、第１のメッセージの第１の部分を送信することと、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を送信することと、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
を備える、方法。
[Ｃ２]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ１に記載の方法。
[Ｃ３]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ１に記載の方法。
[Ｃ４]  前記チャネルフィードバック情報を決定するために使用可能であるヌルデータパケットを送信すること、
をさらに備える、Ｃ１に記載の方法。
[Ｃ５]  前記ヌルデータパケットを送信した後に、ショートフレーム間スペース（ＳＩＦＳ）内で前記チャネルフィードバック情報を受信することをさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ４に記載の方法。
[Ｃ６]  トリガフレームの一部として、１つまたは複数のワイヤレス通信デバイスの各々についてのトーンまたはサブバンド割振り情報を送信すること、
をさらに備える、Ｃ４に記載の方法。
[Ｃ７]  前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、Ｃ６に記載の方法。
[Ｃ８]  前記第１のフォーマットは、高効率（ＨＥ）フォーマットを備え、前記第２のフォーマットは超高スループット（ＶＨＴ）フォーマットを備える、Ｃ１に記載の方法。
[Ｃ９]  前記第１のフォーマットに適合するワイヤレス通信デバイスの前記第１のセットのためのチャネルフィードバック推定のための第１のパラメータは、前記第２のフォーマットに適合するワイヤレス通信デバイスの前記第２のセットのためのチャネルフィードバック推定のための第２のパラメータの後に送信される、Ｃ８に記載の方法。
[Ｃ１０]  ワイヤレス通信デバイスの前記第１のセットのための識別子は、ワイヤレス通信デバイスの前記第２のセットが前記識別子は無効であると決定するように、改変される、Ｃ８に記載の方法。
[Ｃ１１]  ワイヤレスネットワークにおける通信のための装置であって、前記装置は、
第１のフォーマットまたは第２のフォーマットに従って、第１のメッセージの第１の部分を生成することと、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を生成することと、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
を行うように構成されたプロセッサと、
前記第１のメッセージを送信するように構成された送信機と、
を備える、装置。
[Ｃ１２]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ１１に記載の装置。
[Ｃ１３]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ１１に記載の装置。
[Ｃ１４]  前記送信機は、前記チャネルフィードバック情報を決定するために使用可能であるヌルデータパケットを送信するようにさらに構成された、Ｃ１１に記載の装置。
[Ｃ１５]  前記ヌルデータパケットを送信した後に、ショートフレーム間スペース（ＳＩＦＳ）内で前記チャネルフィードバック情報を受信するように構成された受信機をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ１４に記載の装置。
[Ｃ１６]  前記送信機は、トリガフレームの一部として、１つまたは複数のワイヤレス通信デバイスの各々についてのトーンまたはサブバンド割振り情報を送信するようにさらに構成された、Ｃ１４に記載の装置。
[Ｃ１７]  前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、Ｃ１６に記載の装置。
[Ｃ１８]  前記第１のフォーマットは、高効率（ＨＥ）フォーマットを備え、前記第２のフォーマットは超高スループット（ＶＨＴ）フォーマットを備える、Ｃ１１に記載の装置。
[Ｃ１９]  前記第１のフォーマットに適合するワイヤレス通信デバイスの前記第１のセットのためのチャネル状態情報推定のための第１のパラメータは、前記第２のフォーマットに適合するワイヤレス通信デバイスの前記第２のセットのためのチャネル状態情報推定のための第２のパラメータの後に送信される、Ｃ１８に記載の装置。
[Ｃ２０]  ワイヤレス通信デバイスの前記第１のセットのための識別子は、ワイヤレス通信デバイスの前記第２のセットが前記識別子は無効であると決定するように、改変される、Ｃ１８に記載の装置。
[Ｃ２１]  ワイヤレスネットワークにおける通信のための装置であって、前記装置は、
第１のフォーマットまたは第２のフォーマットに従って、第１のメッセージの第１の部分を生成するための手段と、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を生成するための手段と、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
前記第１のメッセージを送信するための手段と、
を備える、装置。
[Ｃ２２]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ２１に記載の装置。
[Ｃ２３]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ２１に記載の装置。
[Ｃ２４]  前記チャネルフィードバック情報を決定するために使用可能であるヌルデータパケットを送信するための手段、
をさらに備える、Ｃ２１に記載の装置。
[Ｃ２５]  前記ヌルデータパケットを送信した後に、ショートフレーム間スペース（ＳＩＦＳ）内で前記チャネルフィードバック情報を受信するための手段をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ２４に記載の装置。
[Ｃ２６]  実行されたとき、装置のプロセッサに、
第１のフォーマットまたは第２のフォーマットに従って、第１のメッセージの第１の部分を生成することと、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を生成することと、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
前記第１のメッセージを送信することと、
を行わせる命令を記憶した非一時的コンピュータ可読媒体。
[Ｃ２７]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ２６に記載の非一時的コンピュータ可読媒体。
[Ｃ２８]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ２６に記載の非一時的コンピュータ可読媒体。
[Ｃ２９]  前記命令が、実行されたとき、前記装置の前記プロセッサに、
前記チャネルフィードバック情報を決定するために使用可能であるヌルデータパケットを送信すること、
をさらに行わせる、Ｃ２６に記載の非一時的コンピュータ可読媒体。
[Ｃ３０]  前記命令が、実行されたとき、前記装置の前記プロセッサに、
前記ヌルデータパケットを送信した後に、ショートフレーム間スペース（ＳＩＦＳ）内で前記チャネルフィードバック情報を受信することをさらに行わせ、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ２９に記載の非一時的コンピュータ可読媒体。
【図１】
0006513820.tif 000002
【図２】
0006513820.tif 000003
【図３】
0006513820.tif 000004
【図４Ａ】
0006513820.tif 000005
【図４Ｂ】
0006513820.tif 000006
【図４Ｃ】
0006513820.tif 000007
【図４Ｄ】
0006513820.tif 000008
【図５Ａ】
0006513820.tif 000009
【図５Ｂ】
0006513820.tif 000010
【図６】
0006513820.tif 000011
【図７Ａ】
0006513820.tif 000012
【図７Ｂ】
0006513820.tif 000013
【図８】
0006513820.tif 000014
【図９】
0006513820.tif 000015
【図１０】
0006513820.tif 000016
【図１１Ａ】
0006513820.tif 000017
【図１１Ｂ】
0006513820.tif 000018
【図１２Ａ】
0006513820.tif 000019
【図１２Ｂ】
0006513820.tif 000020
【図１３】
0006513820.tif 000021
【図１４】
0006513820.tif 000022
【図１５】
0006513820.tif 000023